(57)【特許請求の範囲】
【請求項１】
２次元マトリクス状に配列された画素から構成された表示領域を有する透過型の液晶表示装置を背面から照明する面状光源装置であって、
液晶表示装置の表示領域をＰ×Ｑ個の仮想の表示領域ユニットに分割したと想定したときの該Ｐ×Ｑ個の表示領域ユニットに対応したＰ×Ｑ個の面状光源ユニットから成り、
各面状光源ユニットに備えられた光源は、ｊC×ｊR個（但し、ｊC及びｊRは２以上の整数）の発光素子ユニットを有し、
各面状光源ユニットにおける発光素子ユニットは、少なくとも、第１発光素子ユニットと第２発光素子ユニットとに分類され、
各発光素子ユニットは、ｉ個（但し、ｉは１以上の整数）の赤色を発光する赤色発光素子、２ｉ個の緑色を発光する緑色発光素子、及び、ｉ個の青色を発光する青色発光素子から構成されており、
各面状光源ユニットにおいて：
（Ａ）赤色発光素子は、第１の輝度値を有する赤色発光素子と、第１の輝度値よりも低い第２の輝度値を有する赤色発光素子とに分類され、
（Ｂ）緑色発光素子は、第１の輝度値を有する緑色発光素子と、第１の輝度値よりも低い第２の輝度値を有する緑色発光素子とに分類され、
（Ｃ）青色発光素子は、第１の輝度値を有する青色発光素子と、第１の輝度値よりも低い第２の輝度値を有する青色発光素子とに分類され、
（Ｄ）第１発光素子ユニットを構成する赤色発光素子の有する輝度値の分類範疇は、第２発光素子ユニットを構成する赤色発光素子の有する輝度値の分類範疇と異なり、
（Ｅ）各発光素子ユニットを構成する２ｉ個の緑色発光素子は、第１の輝度値を有する緑色発光素子、及び、第２の輝度値を有する緑色発光素子から構成され、
（Ｆ）第１発光素子ユニットを構成する青色発光素子の有する輝度値の分類範疇は、第２発光素子ユニットを構成する青色発光素子の有する輝度値の分類範疇と異なり、
（Ｇ）第１発光素子ユニットと第２発光素子ユニットとは、少なくとも２回回転対称に配置されていることを特徴とする面状光源装置。
【請求項２】
ｊC＝ｊR＝２であり、
面状光源ユニットの平面形状は矩形であり、
４つの発光素子ユニットのそれぞれは、面状光源ユニットの四隅に配置されており、
第１発光素子ユニットと第２発光素子ユニットとは、交互に、且つ、２回回転対称に配置されていることを特徴とする請求項１に記載の面状光源装置。
【請求項３】
ｊC＝ｊR≧３であり、
面状光源ユニットの平面形状は矩形であり、
第１発光素子ユニットと第２発光素子ユニットとは、交互に、且つ、配置上、４回回転対称に配置されていることを特徴とする請求項１に記載の面状光源装置。
【請求項４】
面状光源ユニットの発光状態は個別に制御されることを特徴とする請求項１に記載の面状光源装置。
【請求項５】
赤色発光素子における第１の輝度値をＩR-1、第２の輝度値をＩR-2とし、
緑色発光素子における第１の輝度値をＩG-1、第２の輝度値をＩG-2とし、
青色発光素子における第１の輝度値をＩB-1、第２の輝度値をＩB-2としたとき、
０．４≦ＩR-2／ＩR-1≦０．９
０．４≦ＩG-2／ＩG-1≦０．９
０．４≦ＩB-2／ＩB-1≦０．９
を満足することを特徴とする請求項１に記載の面状光源装置。
【請求項６】
各面状光源ユニットにおける赤色発光素子に基づく輝度プロファイルの重心と、緑色発光素子に基づく輝度プロファイルの重心と、青色発光素子に基づく輝度プロファイルの重心とは、略一致することを特徴とする請求項１に記載の面状光源装置。
【請求項７】
第１の方向、及び、第１の方向と直交する第２の方向に２次元マトリクス状に配列された画素から構成された表示領域を有する透過型の液晶表示装置を背面から照明する面状光源装置であって、
第１の方向にＰ×ｊC個、第２の方向にＱ×ｊR個（但し、Ｐ及びＱは正の整数であり、ｊC及びｊRは２以上の整数）の、合計、Ｐ×Ｑ×ｊC×ｊR個の発光素子ユニットを有し、
各発光素子ユニットは、ｉ個（但し、ｉは１以上の整数）の赤色を発光する赤色発光素子、２ｉ個の緑色を発光する緑色発光素子、及び、ｉ個の青色を発光する青色発光素子から構成されており、
任意の位置に位置する発光素子ユニットを第１番目の発光素子ユニットとし、該第１番目の発光素子ユニットに対して第１の方向に隣接した発光素子ユニットを第２番目の発光素子ユニットとし、該第１番目の発光素子ユニットに対して第２の方向に隣接した発光素子ユニットを第４番目の発光素子ユニットとし、該第２番目の発光素子ユニットに対して第２の方向に隣接した発光素子ユニットを第３番目の発光素子ユニットとしたとき、
（ａ）該４つの発光素子ユニットを構成する４ｉ個の赤色発光素子は、第１の輝度値を有する２ｉ個の赤色発光素子と、第１の輝度値よりも低い第２の輝度値を有する２ｉ個の赤色発光素子とに分類され、
（ｂ）該４つの発光素子ユニットを構成する８ｉ個の緑色発光素子は、第１の輝度値を有する４ｉ個の緑色発光素子と、第１の輝度値よりも低い第２の輝度値を有する４ｉ個の緑色発光素子とに分類され、
（ｃ）該４つの発光素子ユニットを構成する４ｉ個の青色発光素子は、第１の輝度値を有する２ｉ個の青色発光素子と、第１の輝度値よりも低い第２の輝度値を有する２ｉ個の青色発光素子とに分類され、
（ｄ）第１番目の発光素子ユニット及び第３番目の発光素子ユニットを構成する赤色発光素子の有する輝度値の分類範疇は、同じ分類範疇に属し、第２番目の発光素子ユニット及び第４番目の発光素子ユニットを構成する赤色発光素子の有する輝度値の分類範疇は、同じ分類範疇に属し、
（ｅ）第１番目の発光素子ユニット及び第３番目の発光素子ユニットを構成する赤色発光素子の有する輝度値の分類範疇は、第２番目の発光素子ユニット及び第４番目の発光素子ユニットを構成する赤色発光素子の有する輝度値の分類範疇と異なり、
（ｆ）第１番目、第２番目、第３番目及び第４番目の発光素子ユニットのそれぞれを構成する２ｉ個の緑色発光素子は、第１の輝度値を有する緑色発光素子、及び、第２の輝度値を有する緑色発光素子から構成され、
（ｇ）第１番目の発光素子ユニット及び第３番目の発光素子ユニットを構成する青色発光素子の有する輝度値の分類範疇は、同じ分類範疇に属し、第２番目の発光素子ユニット及び第４番目の発光素子ユニットを構成する青色発光素子の有する輝度値の分類範疇は、同じ分類範疇に属し、
（ｈ）第１番目の発光素子ユニット及び第３番目の発光素子ユニットを構成する青色発光素子の有する輝度値の分類範疇は、第２番目の発光素子ユニット及び第４番目の発光素子ユニットを構成する青色発光素子の有する輝度値の分類範疇と異なることを特徴とする面状光源装置。
【請求項８】
赤色発光素子における第１の輝度値をＩR-1、第２の輝度値をＩR-2とし、
緑色発光素子における第１の輝度値をＩG-1、第２の輝度値をＩG-2とし、
青色発光素子における第１の輝度値をＩB-1、第２の輝度値をＩB-2としたとき、
０．４≦ＩR-2／ＩR-1≦０．９
０．４≦ＩG-2／ＩG-1≦０．９
０．４≦ＩB-2／ＩB-1≦０．９
を満足することを特徴とする請求項７に記載の面状光源装置。
【請求項９】
前記４つの発光素子ユニットによって構成される面状光源ユニット最小単位における赤色発光素子に基づく輝度プロファイルの重心と、緑色発光素子に基づく輝度プロファイルの重心と、青色発光素子に基づく輝度プロファイルの重心とは、略一致することを特徴とする請求項７に記載の面状光源装置。
【請求項１０】
（イ）２次元マトリクス状に配列された画素から構成された表示領域を有する透過型の液晶表示装置、及び、
（ロ）液晶表示装置を背面から照明する面状光源装置、
を備えた液晶表示装置組立体であって、
面状光源装置は、
液晶表示装置の表示領域をＰ×Ｑ個の仮想の表示領域ユニットに分割したと想定したときの該Ｐ×Ｑ個の表示領域ユニットに対応したＰ×Ｑ個の面状光源ユニットから成り、
各面状光源ユニットに備えられた光源は、ｊC×ｊR個（但し、ｊC及びｊRは２以上の整数）の発光素子ユニットを有し、
各面状光源ユニットにおける発光素子ユニットは、少なくとも、第１発光素子ユニットと第２発光素子ユニットとに分類され、
各発光素子ユニットは、ｉ個（但し、ｉは１以上の整数）の赤色を発光する赤色発光素子、２ｉ個の緑色を発光する緑色発光素子、及び、ｉ個の青色を発光する青色発光素子から構成されており、
各面状光源ユニットにおいて：
（Ａ）赤色発光素子は、第１の輝度値を有する赤色発光素子と、第１の輝度値よりも低い第２の輝度値を有する赤色発光素子とに分類され、
（Ｂ）緑色発光素子は、第１の輝度値を有する緑色発光素子と、第１の輝度値よりも低い第２の輝度値を有する緑色発光素子とに分類され、
（Ｃ）青色発光素子は、第１の輝度値を有する青色発光素子と、第１の輝度値よりも低い第２の輝度値を有する青色発光素子とに分類され、
（Ｄ）第１発光素子ユニットを構成する赤色発光素子の有する輝度値の分類範疇は、第２発光素子ユニットを構成する赤色発光素子の有する輝度値の分類範疇と異なり、
（Ｅ）各発光素子ユニットを構成する２ｉ個の緑色発光素子は、第１の輝度値を有する緑色発光素子、及び、第２の輝度値を有する緑色発光素子から構成され、
（Ｆ）第１発光素子ユニットを構成する青色発光素子の有する輝度値の分類範疇は、第２発光素子ユニットを構成する青色発光素子の有する輝度値の分類範疇と異なり、
（Ｇ）第１発光素子ユニットと第２発光素子ユニットとは、少なくとも２回回転対称に配置されていることを特徴とする液晶表示装置組立体。
【請求項１１】
（イ）第１の方向、及び、第１の方向と直交する第２の方向に２次元マトリクス状に配列された画素から構成された表示領域を有する透過型の液晶表示装置、及び、
（ロ）液晶表示装置を背面から照明する面状光源装置、
を備えた液晶表示装置組立体であって、
面状光源装置は、
第１の方向にＰ×ｊC個、第２の方向にＱ×ｊR個（但し、Ｐ及びＱは正の整数であり、ｊC及びｊRは２以上の整数）の、合計、Ｐ×Ｑ×ｊC×ｊR個の発光素子ユニットを有し、
各発光素子ユニットは、ｉ個（但し、ｉは１以上の整数）の赤色を発光する赤色発光素子、２ｉ個の緑色を発光する緑色発光素子、及び、ｉ個の青色を発光する青色発光素子から構成されており、
任意の位置に位置する発光素子ユニットを第１番目の発光素子ユニットとし、該第１番目の発光素子ユニットに対して第１の方向に隣接した発光素子ユニットを第２番目の発光素子ユニットとし、該第１番目の発光素子ユニットに対して第２の方向に隣接した発光素子ユニットを第４番目の発光素子ユニットとし、該第２番目の発光素子ユニットに対して第２の方向に隣接した発光素子ユニットを第３番目の発光素子ユニットとしたとき、
（ａ）該４つの発光素子ユニットを構成する４ｉ個の赤色発光素子は、第１の輝度値を有する２ｉ個の赤色発光素子と、第１の輝度値よりも低い第２の輝度値を有する２ｉ個の赤色発光素子とに分類され、
（ｂ）該４つの発光素子ユニットを構成する８ｉ個の緑色発光素子は、第１の輝度値を有する４ｉ個の緑色発光素子と、第１の輝度値よりも低い第２の輝度値を有する４ｉ個の緑色発光素子とに分類され、
（ｃ）該４つの発光素子ユニットを構成する４ｉ個の青色発光素子は、第１の輝度値を有する２ｉ個の青色発光素子と、第１の輝度値よりも低い第２の輝度値を有する２ｉ個の青色発光素子とに分類され、
（ｄ）第１番目の発光素子ユニット及び第３番目の発光素子ユニットを構成する赤色発光素子の有する輝度値の分類範疇は、同じ分類範疇に属し、第２番目の発光素子ユニット及び第４番目の発光素子ユニットを構成する赤色発光素子の有する輝度値の分類範疇は、同じ分類範疇に属し、
（ｅ）第１番目の発光素子ユニット及び第３番目の発光素子ユニットを構成する赤色発光素子の有する輝度値の分類範疇は、第２番目の発光素子ユニット及び第４番目の発光素子ユニットを構成する赤色発光素子の有する輝度値の分類範疇と異なり、
（ｆ）第１番目、第２番目、第３番目及び第４番目の発光素子ユニットのそれぞれを構成する２ｉ個の緑色発光素子は、第１の輝度値を有する緑色発光素子、及び、第２の輝度値を有する緑色発光素子から構成され、
（ｇ）第１番目の発光素子ユニット及び第３番目の発光素子ユニットを構成する青色発光素子の有する輝度値の分類範疇は、同じ分類範疇に属し、第２番目の発光素子ユニット及び第４番目の発光素子ユニットを構成する青色発光素子の有する輝度値の分類範疇は、同じ分類範疇に属し、
（ｈ）第１番目の発光素子ユニット及び第３番目の発光素子ユニットを構成する青色発光素子の有する輝度値の分類範疇は、第２番目の発光素子ユニット及び第４番目の発光素子ユニットを構成する青色発光素子の有する輝度値の分類範疇と異なることを特徴とする液晶表示装置組立体。
【発明の詳細な説明】
【技術分野】
【０００１】
本発明は、面状光源装置及び液晶表示装置組立体に関する。
【背景技術】
【０００２】
液晶表示装置にあっては、液晶材料それ自体は発光しない。従って、例えば、液晶表示装置の表示領域を照明する直下型の面状光源装置（バックライト）を、複数の画素から構成された表示領域の背面に配置する。尚、カラー液晶表示装置において、１画素は、例えば、赤色発光副画素、緑色発光副画素及び青色発光副画素の３種の副画素から構成されている。そして、各副画素を構成する液晶セルを、一種の光シャッター（ライト・バルブ）として動作させることによって、即ち、各副画素の光透過率（開口率）を制御し、面状光源装置から出射された照明光（例えば、白色光）の光透過率を制御することで、画像を表示している。
【０００３】
従来、液晶表示装置組立体における面状光源装置は、表示領域全体を、均一、且つ、一定の明るさで照明しているが、このような面状光源装置とは別の構成、即ち、複数の面状光源ユニットから構成され、複数の表示領域ユニットにおける照度の分布を変化させる構成を有する面状光源装置（部分駆動方式あるいは分割駆動方式の面状光源装置）が、例えば、特開２００５−２５８４０３から周知である。そして、このような面状光源装置の制御（面状光源装置の部分駆動あるいは分割駆動とも呼ばれる）によって、液晶表示装置における白レベルの増加、黒レベルの低下によるコントラスト比の増加を図ることができる結果、画像表示の品質の向上を図ることができるし、面状光源装置の消費電力の低減を図ることができる。
【０００４】
面状光源装置における各面状光源ユニットを構成する光源は、屡々、赤色発光ダイオード、緑色発光ダイオード、及び、青色発光ダイオードから構成されており、これらの発光ダイオードを発光させることで得られた赤色光、緑色光、青色光を混色することによって白色光を得、係る白色光によって液晶表示装置の表示領域を照明している。
【０００５】
【特許文献１】特開２００５−２５８４０３
【発明の開示】
【発明が解決しようとする課題】
【０００６】
ところで、このように面状光源ユニットから出射される照明光としての白色光の輝度むらを、液晶表示装置の観察者が不快とならない程度までに抑える必要がある。そして、そのためには、各面状光源ユニットから出射される照明光の最大輝度が、面状光源ユニット間において出来る限り同じであることが望まれる。このような要請を満足させるためには、面状光源ユニットの光源を構成する赤色発光ダイオードの特性（発光強度等）、緑色発光ダイオードの特性（発光強度等）、青色発光ダイオードの特性（発光強度等）が均一であることが求められる。
【０００７】
しかしながら、現実には、製造される発光ダイオードに発光強度のバラツキが生じ、このようなバラツキの発生を完全に防ぐことは極めて困難である。一方、面状光源ユニットの光源を構成する発光ダイオードの発光強度の値が面状光源ユニット間で同じとなるように発光ダイオードを選別したのでは、面状光源装置の製造コストが極めて高くなってしまう。
【０００８】
従って、面状光源装置の生産において、例えば、多数の赤色発光ダイオード、多数の緑色発光ダイオード、及び、多数の青色発光ダイオードのそれぞれを、発光強度に基づき、例えば、２つの範疇に分類する。尚、このような分類は、「ビニング（ＢＩＮＮＩＮＧ）」と呼ばれている。一般に、緑色発光ダイオードの発光強度は、赤色発光ダイオード及び青色発光ダイオードの発光強度よりも低い。従って、屡々、１つの発光素子ユニットを、例えば、１個の赤色発光ダイオード、２個の緑色発光ダイオード、及び、１個の青色発光ダイオードから構成している。ここで、１つの面状光源ユニットを４つの発光素子ユニットから構成する場合を想定する。そして、この場合、図１４の（Ａ）に模式的に示すように、２つの発光素子ユニットのそれぞれを、（１つの高発光強度の赤色発光ダイオード，２つの高発光強度の緑色発光ダイオード，１つの高発光強度の青色発光ダイオード）といった構成とし、残りの２つの発光素子ユニットのそれぞれを、（１つの低発光強度の赤色発光ダイオード，２つの低発光強度の緑色発光ダイオード，１つの低発光強度の青色発光ダイオード）といった構成とし、これらの４つの発光素子ユニットを２回回転対称に配置することが考えられる。尚、図１４の（Ａ）及び後述する図１４の（Ｂ）においては、赤色発光ダイオードを丸印の中に「Ｒ」を配した記号で示し、緑色発光ダイオードを丸印の中に「Ｇ」を配した記号で示し、青色発光ダイオードを丸印の中に「Ｂ」を配した記号で示す。また、高発光強度の発光ダイオードを大きな丸印で示し、低発光強度の発光ダイオードを小さな丸印で示す。更には、発光素子ユニットを点線の矩形で示す。
【０００９】
しかしながら、このような配置としたのでは、図１５及び図１６に示すように、面状光源ユニット間において短い周期の輝度むらが発生することが、本発明者の検討により判明した。尚、図１５は、カラー液晶表示装置のＹ方向（画面垂直方向であり、第２の方向）中央におけるＸ方向（画面水平方向であり、第１の方向）に沿った輝度むらを示し、図１６は、カラー液晶表示装置において輝度むらが生じている状態を示す写真である。最大輝度で規格化した輝度の値において、約１％を越える輝度変化が生じると、輝度むらとして観察される。
【００１０】
従って、本発明の目的は、面状光源ユニット間において短い周期の輝度むらが発生し難い構成を有する面状光源装置、及び、係る面状光源装置を組み込んだ液晶表示装置組立体を提供することにある。
【課題を解決するための手段】
【００１１】
上記の目的を達成するための本発明の第１の態様に係る面状光源装置は、２次元マトリクス状に配列された画素から構成された表示領域を有する透過型の液晶表示装置を背面から照明する面状光源装置である。また、上記の目的を達成するための本発明の第１の態様に係る液晶表示装置組立体は、
（イ）２次元マトリクス状に配列された画素から構成された表示領域を有する透過型の液晶表示装置、及び、
（ロ）液晶表示装置を背面から照明する面状光源装置、
を備えた液晶表示装置組立体である。
【００１２】
そして、本発明の第１の態様に係る面状光源装置、あるいは、本発明の第１の態様に係る液晶表示装置組立体における面状光源装置（以下、これらを総称して、『本発明の第１の態様に係る面状光源装置等』と呼ぶ）は、
液晶表示装置の表示領域をＰ×Ｑ個の仮想の表示領域ユニットに分割したと想定したときの該Ｐ×Ｑ個の表示領域ユニットに対応したＰ×Ｑ個の面状光源ユニットから成り、
各面状光源ユニットに備えられた光源は、ｊC×ｊR個（但し、ｊC及びｊRは２以上の整数）の発光素子ユニットを有し、
各面状光源ユニットにおける発光素子ユニットは、少なくとも、第１発光素子ユニットと第２発光素子ユニットとに分類され、
各発光素子ユニットは、ｉ個（但し、ｉは１以上の整数）の赤色を発光する赤色発光素子、２ｉ個の緑色を発光する緑色発光素子、及び、ｉ個の青色を発光する青色発光素子から構成されており、
各面状光源ユニットにおいて：
（Ａ）赤色発光素子は、第１の輝度値を有する赤色発光素子と、第１の輝度値よりも低い第２の輝度値を有する赤色発光素子とに分類され、
（Ｂ）緑色発光素子は、第１の輝度値を有する緑色発光素子と、第１の輝度値よりも低い第２の輝度値を有する緑色発光素子とに分類され、
（Ｃ）青色発光素子は、第１の輝度値を有する青色発光素子と、第１の輝度値よりも低い第２の輝度値を有する青色発光素子とに分類され、
（Ｄ）第１発光素子ユニットを構成する赤色発光素子の有する輝度値の分類範疇は、第２発光素子ユニットを構成する赤色発光素子の有する輝度値の分類範疇と異なり、
（Ｅ）各発光素子ユニットを構成する２ｉ個の緑色発光素子は、第１の輝度値を有する緑色発光素子、及び、第２の輝度値を有する緑色発光素子から構成され、
（Ｆ）第１発光素子ユニットを構成する青色発光素子の有する輝度値の分類範疇は、第２発光素子ユニットを構成する青色発光素子の有する輝度値の分類範疇と異なり、
（Ｇ）第１発光素子ユニットと第２発光素子ユニットとは、少なくとも２回回転対称に配置されていることを特徴とする。
【００１３】
尚、各面状光源ユニットにおける発光素子ユニットは、少なくとも、第１発光素子ユニットと第２発光素子ユニットとに分類されている。具体的には、第１発光素子ユニットと第２発光素子ユニットとに分類され、あるいは又、第１発光素子ユニットと第２発光素子ユニットと第３発光素子ユニットに分類され、あるいは又、それ以上の数の発光素子ユニットに分類される。また、ｉの数は１以上であればよく、具体的には、１，２，３・・・を挙げることができる。
【００１４】
上記の目的を達成するための本発明の第２の態様に係る面状光源装置は、第１の方向、及び、第１の方向と直交する第２の方向に２次元マトリクス状に配列された画素から構成された表示領域を有する透過型の液晶表示装置を背面から照明する面状光源装置である。また、上記の目的を達成するための本発明の第２の態様に係る液晶表示装置組立体は、
（イ）第１の方向、及び、第１の方向と直交する第２の方向に２次元マトリクス状に配列された画素から構成された表示領域を有する透過型の液晶表示装置、及び、
（ロ）液晶表示装置を背面から照明する面状光源装置、
を備えた液晶表示装置組立体である。
【００１５】
そして、本発明の第２の態様に係る面状光源装置、あるいは、本発明の第２の態様に係る液晶表示装置組立体における面状光源装置（以下、これらを総称して、『本発明の第２の態様に係る面状光源装置等』と呼ぶ）は、
第１の方向にＰ×ｊC個、第２の方向にＱ×ｊR個（但し、Ｐ及びＱは正の整数であり、ｊC及びｊRは２以上の整数）の、合計、Ｐ×Ｑ×ｊC×ｊR個の発光素子ユニットを有し、
各発光素子ユニットは、ｉ個（但し、ｉは１以上の整数）の赤色を発光する赤色発光素子、２ｉ個の緑色を発光する緑色発光素子、及び、ｉ個の青色を発光する青色発光素子から構成されており、
任意の位置に位置する発光素子ユニットを第１番目の発光素子ユニットとし、該第１番目の発光素子ユニットに対して第１の方向に隣接した発光素子ユニットを第２番目の発光素子ユニットとし、該第１番目の発光素子ユニットに対して第２の方向に隣接した発光素子ユニットを第４番目の発光素子ユニットとし、該第２番目の発光素子ユニットに対して第２の方向に隣接した発光素子ユニットを第３番目の発光素子ユニットとしたとき、
（ａ）該４つの発光素子ユニットを構成する４ｉ個の赤色発光素子は、第１の輝度値を有する２ｉ個の赤色発光素子と、第１の輝度値よりも低い第２の輝度値を有する２ｉ個の赤色発光素子とに分類され、
（ｂ）該４つの発光素子ユニットを構成する８ｉ個の緑色発光素子は、第１の輝度値を有する４ｉ個の緑色発光素子と、第１の輝度値よりも低い第２の輝度値を有する４ｉ個の緑色発光素子とに分類され、
（ｃ）該４つの発光素子ユニットを構成する４ｉ個の青色発光素子は、第１の輝度値を有する２ｉ個の青色発光素子と、第１の輝度値よりも低い第２の輝度値を有する２ｉ個の青色発光素子とに分類され、
（ｄ）第１番目の発光素子ユニット及び第３番目の発光素子ユニットを構成する赤色発光素子の有する輝度値の分類範疇は、同じ分類範疇に属し、第２番目の発光素子ユニット及び第４番目の発光素子ユニットを構成する赤色発光素子の有する輝度値の分類範疇は、同じ分類範疇に属し、
（ｅ）第１番目の発光素子ユニット及び第３番目の発光素子ユニットを構成する赤色発光素子の有する輝度値の分類範疇は、第２番目の発光素子ユニット及び第４番目の発光素子ユニットを構成する赤色発光素子の有する輝度値の分類範疇と異なり、
（ｆ）第１番目、第２番目、第３番目及び第４番目の発光素子ユニットのそれぞれを構成する２ｉ個の緑色発光素子は、第１の輝度値を有する緑色発光素子、及び、第２の輝度値を有する緑色発光素子から構成され、
（ｇ）第１番目の発光素子ユニット及び第３番目の発光素子ユニットを構成する青色発光素子の有する輝度値の分類範疇は、同じ分類範疇に属し、第２番目の発光素子ユニット及び第４番目の発光素子ユニットを構成する青色発光素子の有する輝度値の分類範疇は、同じ分類範疇に属し、
（ｈ）第１番目の発光素子ユニット及び第３番目の発光素子ユニットを構成する青色発光素子の有する輝度値の分類範疇は、第２番目の発光素子ユニット及び第４番目の発光素子ユニットを構成する青色発光素子の有する輝度値の分類範疇と異なることを特徴とする。
【００１６】
本発明の第１の態様に係る面状光源装置等にあっては、ｊC，ｊRの値として、限定するものではないが、２，３，４，５を例示することができる。ｊCとｊRの値は、同じ値であっても良いし、異なる値であってもよい。具体的には、例えば、ｊC＝ｊR＝２であり、面状光源ユニットの平面形状は矩形であり、４つの発光素子ユニットのそれぞれは、面状光源ユニットの四隅に配置されており、第１発光素子ユニットと第２発光素子ユニットとは、交互に、且つ、２回回転対称に配置されている形態とすることができる。あるいは又、ｊC＝ｊR≧３であり、面状光源ユニットの平面形状は矩形であり、第１発光素子ユニットと第２発光素子ユニットとは、交互に、且つ、配置上、４回回転対称に配置されている形態とすることもできる。尚、この場合にも、２次元マトリクス状に配列されたｊC×ｊR個の発光素子ユニットにおける係る２次元マトリクスの四隅に配置された４つの発光素子ユニットのそれぞれは、面状光源ユニットの四隅に配置されていることが好ましい。あるいは又、ｊC、ｊRのいずれか一方が３以上の値であり、しかも、ｊC≠ｊRの場合には、第１発光素子ユニットと第２発光素子ユニットとは、交互に、且つ、２回回転対称に配置されている。
【００１７】
上記の好ましい形態を含む本発明の第１の態様に係る面状光源装置等にあっては、面状光源ユニットの発光状態は個別に制御される構成、即ち、面状光源装置等の駆動方式として、部分駆動方式あるいは分割駆動方式を採用することができるが、これに限定するものではなく、複数の面状光源ユニットあるいは複数の光源を、同時に同じ駆動条件にて駆動する方式を採用してもよいし、同時に異なる駆動条件にて定常的に駆動する方式を採用してもよい。
【００１８】
上記の好ましい形態を含む本発明の第１の態様あるいは第２の態様に係る面状光源装置等（以下、これらを総称して、単に、『本発明の面状光源装置等』と呼ぶ場合がある）にあっては、限定するものでないが、
赤色発光素子における第１の輝度値をＩR-1、第２の輝度値をＩR-2とし、
緑色発光素子における第１の輝度値をＩG-1、第２の輝度値をＩG-2とし、
青色発光素子における第１の輝度値をＩB-1、第２の輝度値をＩB-2としたとき、
０．４≦ＩR-2／ＩR-1≦０．９
０．４≦ＩG-2／ＩG-1≦０．９
０．４≦ＩB-2／ＩB-1≦０．９
を満足することが望ましい。尚、ＩR-1の値とＩG-1の値は等しくてもよいし、等しくなくてもよい。同様に、ＩG-1の値とＩB-1の値は等しくてもよいし、等しくなくてもよいし、ＩB-1の値とＩR-1の値は等しくてもよいし、等しくなくてもよい。また、ＩR-2の値とＩG-2の値は等しくてもよいし、等しくなくてもよい。同様に、ＩG-2の値とＩB-2の値は等しくてもよいし、等しくなくてもよいし、ＩB-2の値とＩR-2の値は等しくてもよいし、等しくなくてもよい。
【００１９】
以上に説明した好ましい形態、構成を含む本発明の第１の態様に係る面状光源装置等にあっては、各面状光源ユニットにおける赤色発光素子に基づく輝度プロファイルの重心と、緑色発光素子に基づく輝度プロファイルの重心と、青色発光素子に基づく輝度プロファイルの重心とは、略一致することが好ましいし、以上に説明した好ましい形態、構成を含む本発明の第２の態様に係る面状光源装置等にあっては、前記４つの発光素子ユニットによって構成される面状光源ユニット最小単位における赤色発光素子に基づく輝度プロファイルの重心と、緑色発光素子に基づく輝度プロファイルの重心と、青色発光素子に基づく輝度プロファイルの重心とは、略一致することが好ましい。これによって、各面状光源ユニットあるいは面状光源ユニット最小単位から出射される照明光を、より一層均一な白色光とすることができる。ここで、重心が略一致するとは、平面形状が矩形（第１の方向に沿った辺の長さがＬ1、第２の方向に沿った辺の長さがＬ2）の面状光源ユニットあるいは面状光源ユニット最小単位を想定したとき、係る面状光源ユニットあるいは面状光源ユニット最小単位の中心を通り、一辺の長さが０．２Ｌ1、他方の辺の長さが０．２Ｌ2の大きさの矩形の領域内に、赤色発光素子に基づく輝度プロファイルの重心、緑色発光素子に基づく輝度プロファイルの重心、及び、青色発光素子に基づく輝度プロファイルの重心が納まることを意味する。
【００２０】
本発明の第１の態様に係る面状光源装置等にあっては、ｊC＝ｊR≧３である場合、第１発光素子ユニットと第２発光素子ユニットとは、交互に、且つ、配置上、４回回転対称に配置されている。ここで、面状光源ユニットの平面形状が正方形の場合には、通常の４回回転対称となる。即ち、ガウス座標系において、例えば、第１象限（Ｘ0，Ｙ0）に位置する発光素子ユニットは、４回回転対称操作によって、第２象限（−Ｙ0，Ｘ0）に位置する発光素子ユニット、第３象限（−Ｘ0，−Ｙ0）に位置する発光素子ユニット、第４象限（Ｙ0，−Ｘ0）に位置する発光素子ユニットと重なる。しかしながら、面状光源ユニットの平面形状が長方形の場合には、このように空間的には重ならない。但し、第１発光素子ユニットと第２発光素子ユニットとが或る配置パターンによって配列されている場合、係る配置パターンにおける回転対称軸の周りを、９０度、配置パターンを回転させたとき、係る回転後の配置パターンは、回転前の配置パターンと、配列状態といった観点においては一致する。１８０度、配置パターンを回転させたとき、２７０度、配置パターンを回転させたときも、同様である。そして、このような状態を示すために、「配置上」、４回回転対称に配置されているとした。
【００２１】
上記の好ましい形態を含む本発明の第１の態様あるいは第２の態様に係る面状光源装置あるいは液晶表示装置組立体（以下、これらを総称して、単に、『本発明』と呼ぶ場合がある）にあっては、発光素子として、発光ダイオード（ＬＥＤ，Light Emitting Diode）を例示することができる。場合によっては、赤色、緑色、青色以外の第４番目の色、第５番目の色・・・を発光する発光ダイオードを更に備えていてもよい。
【００２２】
光源を構成する発光ダイオードは、所謂フェイスアップ構造を有していてもよいし、フリップチップ構造を有していてもよい。即ち、発光ダイオードは、基板、及び、基板上に形成された発光層から構成されており、発光層から光が外部に出射される構造としてもよいし、発光層からの光が基板を通過して外部に出射される構造としてもよい。より具体的には、発光ダイオードは、例えば、基板上に形成された第１導電型（例えばｎ型）を有する化合物半導体層から成る第１化合物半導体層、第１化合物半導体層上に形成された活性層、活性層上に形成された第２導電型（例えばｐ型）を有する化合物半導体層から成る第２化合物半導体層の積層構造を有し、第１化合物半導体層に電気的に接続された第１電極、及び、第２化合物半導体層に電気的に接続された第２電極を備えている。発光ダイオードを構成する層は、発光波長に依存して、周知の化合物半導体材料から構成すればよい。
【００２３】
発光ダイオードから出射される光を上方に位置する液晶表示装置に直接入射させる構成とした場合、即ち、発光ダイオードから専らｚ軸方向に沿って光を出射させた場合、面状光源装置等に輝度むらが発生してしまう場合がある。このような現象の発生を回避するための手段として、発光ダイオードに光取出しレンズを取り付けた発光ダイオード組立体を光源として使用し、発光ダイオードから出射された光の一部分が、光取出しレンズの頂面において全反射され、光取出しレンズの水平方向に主に出射される２次元方向出射構成を挙げることができる。
【００２４】
本発明の面状光源装置等は、光拡散板、更には、拡散シート、プリズムシート、偏光変換シートといった光学機能シート群や、反射シートを備えている構成とすることができる。光学機能シート群は、離間配置された各種シートから構成されていてもよいし、積層され一体として構成されていてもよい。光拡散板や光学機能シート群は、面状光源装置等と液晶表示装置との間に配置される。光拡散板を構成する材料として、ポリカーボネート樹脂（ＰＣ）、ポリスチレン系樹脂（ＰＳ）、メタクリル樹脂、ノルボルネン系の重合体樹脂である日本ゼオン株式会社製「ゼオノア」（ＺＥＯＮＯＲ）等のシクロオレフィン樹脂を挙げることができる。
【００２５】
面状光源ユニットと面状光源ユニットとは、隔壁で仕切られている構成とすることもできる。隔壁によって、面状光源ユニットを構成する光源から出射された光の透過が制御され、あるいは又、反射が制御され、あるいは又、透過及び反射が制御される。尚、この場合、１つの面状光源ユニットは、４つの隔壁によって囲まれ、あるいは又、面状光源装置等を構成する筐体の１つの側面と３つの隔壁とによって囲まれ、あるいは又、筐体の２つの側面と２つの隔壁とによって囲まれている。隔壁を構成する材料として、具体的には、アクリル系樹脂、ポリカーボネート樹脂、ＡＢＳ樹脂といった、面状光源ユニットに備えられた光源から出射された光に対して不透明な材料を挙げることができるし、面状光源ユニットに備えられた光源から出射された光に対して透明な材料として、ポリメタクリル酸メチル樹脂（ＰＭＭＡ）、ポリカーボネート樹脂（ＰＣ）、ポリアリレート樹脂（ＰＡＲ）、ポリエチレンテレフタレート樹脂（ＰＥＴ）、ガラスを例示することができる。隔壁表面に光拡散反射機能を付与してもよいし、鏡面反射機能を付与してもよい。隔壁表面に光拡散反射機能を付与するためには、サンドブラスト法に基づき隔壁表面に凹凸を形成したり、凹凸を有するフィルム（光拡散フィルム）を隔壁表面に貼り付ければよい。また、隔壁表面に鏡面反射機能を付与するためには、光反射フィルムを隔壁表面に貼り付けたり、例えばメッキによって隔壁表面に光反射層を形成すればよい。
【００２６】
面状光源装置等において、光源の発光状態（具体的には、例えば、光源の輝度、あるいは、光源の色度、あるいは、光源の輝度と色度）を測定するために、光センサーを配設することができる。光センサーの数は、最低１個であればよいが、１個の面状光源ユニットに１つの光センサーが配置されている構成とすることが、各面状光源ユニットの発光状態を確実に測定するといった観点から望ましい。光センサーとして、周知のフォトダイオードやＣＣＤ装置を挙げることができる。
【００２７】
透過型の液晶表示装置は、例えば、透明第１電極を備えたフロント・パネル、透明第２電極を備えたリア・パネル、及び、フロント・パネルとリア・パネルとの間に配された液晶材料から成る。尚、液晶表示装置を、透過型のカラー液晶表示装置とすることができる。
【００２８】
フロント・パネルは、より具体的には、第１の基板と、第１の基板の内面に設けられた透明第１電極（共通電極とも呼ばれ、例えば、ＩＴＯから成る）と、第１の基板の外面に設けられた偏光フィルムとから構成されている。更には、透過型のカラー液晶表示装置においては、第１の基板の内面に、アクリル樹脂やエポキシ樹脂から成るオーバーコート層によって被覆されたカラーフィルターが設けられている。カラーフィルターは、一般に、着色パターン間の隙間を遮光するためのブラックマトリクス（例えば、クロムから成る）と、各副画素に対向した例えば、青色、緑色、赤色の着色層から構成されており、染色法、顔料分散法、印刷法、電着法等によって作製される。着色層は、例えば、樹脂材料から成り、あるいは又、顔料で着色されている。着色層のパターンは、副画素の配列状態（配列パターン）と一致させればよく、デルタ配列、ストライプ配列、ダイアゴナル配列、レクタングル配列を挙げることができる。そして、フロント・パネルは、更に、オーバーコート層上に透明第１電極が形成された構成を有している。尚、透明第１電極上には配向膜が形成されている。一方、リア・パネルは、より具体的には、例えば、第２の基板と、第２の基板の内面に形成されたスイッチング素子と、スイッチング素子によって導通／非導通が制御される透明第２電極（画素電極とも呼ばれ、例えば、ＩＴＯから成る）と、第２の基板の外面に設けられた偏光フィルムとから構成されている。透明第２電極を含む全面には配向膜が形成されている。これらの透過型のカラー液晶表示装置を含む液晶表示装置を構成する各種の部材や液晶材料は、周知の部材、材料から構成することができる。スイッチング素子として、単結晶シリコン半導体基板に形成されたＭＯＳ型ＦＥＴや薄膜トランジスタ（ＴＦＴ）といった３端子素子や、ＭＩＭ素子、バリスタ素子、ダイオード等の２端子素子を例示することができる。液晶材料の駆動方式は、使用する液晶材料に適した駆動方式とすればよい。
【００２９】
第１の基板や第２の基板として、ガラス基板、表面に絶縁膜が形成されたガラス基板、石英基板、表面に絶縁膜が形成された石英基板、表面に絶縁膜が形成された半導体基板を挙げることができるが、製造コスト低減の観点からは、ガラス基板、あるいは、表面に絶縁膜が形成されたガラス基板を用いることが好ましい。ガラス基板として、高歪点ガラス、ソーダガラス（Ｎａ2Ｏ・ＣａＯ・ＳｉＯ2）、硼珪酸ガラス（Ｎａ2Ｏ・Ｂ2Ｏ3・ＳｉＯ2）、フォルステライト（２ＭｇＯ・ＳｉＯ2）、鉛ガラス（Ｎａ2Ｏ・ＰｂＯ・ＳｉＯ2）、無アルカリガラスを例示することができる。あるいは又、ポリメチルメタクリレート（ポリメタクリル酸メチル，ＰＭＭＡ）やポリビニルアルコール（ＰＶＡ）、ポリビニルフェノール（ＰＶＰ）、ポリエーテルスルホン（ＰＥＳ）、ポリイミド、ポリカーボネート（ＰＣ）、ポリエチレンテレフタレート（ＰＥＴ）に例示される有機ポリマー（高分子材料から構成された可撓性を有するプラスチック・フィルムやプラスチック・シート、プラスチック基板といった高分子材料の形態を有する）を挙げることができる。
【００３０】
透明第１電極と透明第２電極の重複領域であって液晶セルを含む領域が、１副画素（サブピクセル）に該当する。そして、透過型のカラー液晶表示装置においては、各画素（ピクセル）を構成する赤色発光副画素（副画素［Ｒ］と呼ぶ場合がある）は、係る領域を構成する液晶セルと赤色光を透過するカラーフィルターとの組合せから構成され、緑色発光副画素（副画素［Ｇ］と呼ぶ場合がある）は、係る領域を構成する液晶セルと緑色光を透過するカラーフィルターとの組合せから構成され、青色発光副画素（副画素［Ｂ］と呼ぶ場合がある）は、係る領域を構成する液晶セルと青色光を透過するカラーフィルターとの組合せから構成されている。副画素［Ｒ］、副画素［Ｇ］及び副画素［Ｂ］の配置パターンは、上述したカラーフィルターの配置パターンと一致する。尚、画素は、副画素［Ｒ］、副画素［Ｇ］、及び、副画素［Ｂ］の３種の副画素［Ｒ，Ｇ，Ｂ］を１組として構成される構成に限定されず、例えば、これらの３種の副画素［Ｒ，Ｇ，Ｂ］に更に１種類あるいは複数種類の副画素を加えた１組（例えば、輝度向上のために白色光を発光する副画素を加えた１組、色再現範囲を拡大するために補色を発光する副画素を加えた１組、色再現範囲を拡大するためにイエローを発光する副画素を加えた１組、色再現範囲を拡大するためにマゼンタを発光する副画素を加えた１組、色再現範囲を拡大するためにイエロー及びシアンを発光する副画素を加えた１組）から構成することもできる。色域を拡大するための副画素を加えた場合、面状光源ユニットを構成する発光素子もそれに合わせて、第４の発光素子、第５の発光素子を付け加えてもよい。
【００３１】
分割駆動方式にあっては、副画素の光透過率（開口率とも呼ばれる）Ｌｔ、副画素に対応する表示領域の部分の輝度（表示輝度）ｙ、及び、面状光源ユニットの輝度（光源輝度）Ｙを、以下のとおり、定義する。
【００３２】
Ｙ1・・・・光源輝度の、例えば最高輝度であり、以下、光源輝度・第１規定値と呼ぶ場合がある。
Ｌｔ1・・・表示領域ユニットにおける副画素の光透過率（開口率）の、例えば最大値であり、以下、光透過率・第１規定値と呼ぶ場合がある。
Ｌｔ2・・・光源輝度が光源輝度・第１規定値Ｙ1であるときに、表示領域ユニットを構成する全ての画素を駆動するために駆動回路に入力される駆動信号の値の内の最大値である表示領域ユニット内・駆動信号最大値ｘU-maxに等しい値を有する駆動信号に相当する制御信号が副画素に供給されたと想定したときの副画素の光透過率（開口率）であり、以下、光透過率・第２規定値と呼ぶ場合がある。尚、０≦Ｌｔ2≦Ｌｔ1
ｙ2・・・・光源輝度が光源輝度・第１規定値Ｙ1であり、副画素の光透過率（開口率）が光透過率・第２規定値Ｌｔ2であると仮定したときに得られる表示輝度であり、以下、表示輝度・第２規定値と呼ぶ場合がある。
Ｙ2・・・・表示領域ユニット内・駆動信号最大値ｘU-maxに等しい値を有する駆動信号に相当する制御信号が副画素に供給されたと想定し、しかも、このときの副画素の光透過率（開口率）が光透過率・第１規定値Ｌｔ1に補正されたと仮定したとき、副画素の輝度を表示輝度・第２規定値（ｙ2）とするための面状光源ユニットの光源輝度。但し、光源輝度Ｙ2には、各面状光源ユニットの光源輝度が他の面状光源ユニットの光源輝度に与える影響を考慮した補正が施される場合がある。
【００３３】
面状光源装置の分割駆動時、表示領域ユニット内・駆動信号最大値ｘU-maxに等しい値を有する駆動信号に相当する制御信号が画素に供給されたと想定したときの画素の輝度（光透過率・第１規定値Ｌｔ1における表示輝度・第２規定値ｙ2）が得られるように、表示領域ユニットに対応する面状光源ユニットを構成する光源の輝度を駆動回路によって制御するが、具体的には、例えば、副画素の光透過率（開口率）を、例えば光透過率・第１規定値Ｌｔ1としたときに表示輝度ｙ2が得られるように、光源輝度Ｙ2を制御すればよい（例えば、減少させればよい）。即ち、例えば、以下の式（１）を満足するように、液晶表示装置の画像表示におけるフレーム（便宜上、画像表示フレームと呼ぶ）毎に面状光源ユニットの光源輝度Ｙ2を制御すればよい。尚、Ｙ2≦Ｙ1の関係にある。
【００３４】
Ｙ2・Ｌｔ1＝Ｙ1・Ｌｔ2    （１）
【００３５】
２次元マトリクス状に配列された画素（ピクセル）の数Ｍ0×Ｎ0を（Ｍ0，Ｎ0）で表記したとき、（Ｍ0，Ｎ0）の値として、具体的には、ＶＧＡ（６４０，４８０）、Ｓ−ＶＧＡ（８００，６００）、ＸＧＡ（１０２４，７６８）、ＡＰＲＣ（１１５２，９００）、Ｓ−ＸＧＡ（１２８０，１０２４）、Ｕ−ＸＧＡ（１６００，１２００）、ＨＤ−ＴＶ（１９２０，１０８０）、Ｑ−ＸＧＡ（２０４８，１５３６）の他、（１９２０，１０３５）、（７２０，４８０）、（１２８０，９６０）等、画像表示用解像度の幾つかを例示することができるが、これらの値に限定するものではない。尚、分割駆動方式を採用する場合、（Ｍ0，Ｎ0）の値と（Ｐ，Ｑ）の値との関係として、限定するものではないが、以下の表１に例示することができる。１つの表示領域ユニットを構成する画素の数として、２０×２０乃至３２０×２４０、好ましくは、５０×５０乃至２００×２００を例示することができる。表示領域ユニットにおける画素の数は、一定であってもよいし、異なっていてもよい。
【００３６】
0004395801.tif 000002
【００３７】
液晶表示装置及び面状光源装置を駆動するための駆動回路は、例えば、発光素子駆動回路、演算回路、記憶装置（メモリ）等から構成された面状光源装置制御回路及び面状光源ユニット駆動回路、並びに、タイミングコントローラ等の周知の回路から構成された液晶表示装置駆動回路を備えている。表示領域の部分の輝度（表示輝度）及び面状光源ユニットの輝度（光源輝度）の制御は、１画像表示フレーム毎に行われる。尚、駆動回路に電気信号として１秒間に送られる画像情報の数（毎秒画像）がフレーム周波数（フレームレート）であり、フレーム周波数の逆数がフレーム時間（単位：秒）である。
【発明の効果】
【００３８】
本発明の第１の態様に係る面状光源装置等にあっては、各発光素子ユニットを構成する２ｉ個の緑色発光素子は、第１の輝度値を有する緑色発光素子、及び、第２の輝度値を有する緑色発光素子から構成されており、本発明の第２の態様に係る面状光源装置等にあっては、第１番目、第２番目、第３番目及び第４番目の発光素子ユニットのそれぞれを構成する２ｉ個の緑色発光素子は、第１の輝度値を有する緑色発光素子、及び、第２の輝度値を有する緑色発光素子から構成されている。その結果、面状光源ユニット間において短い周期の輝度むらが発生することを確実に抑制することができる。
【００３９】
また、面状光源装置において分割駆動方式（部分駆動方式）を採用し、表示領域ユニット内・駆動信号最大値ｘU-maxに等しい値を有する駆動信号に相当する制御信号が画素に供給されたと想定したときの画素の輝度（光透過率・第１規定値Ｌｔ1における表示輝度・第２規定値ｙ2）が得られるように、表示領域ユニットに対応する面状光源ユニットを構成する光源の輝度を駆動回路によって制御すれば、面状光源装置の消費電力の低減を図ることができるばかりか、白レベルの増加や黒レベルの低下を図り、高いコントラスト比（カラー液晶表示装置の画面表面における、外光反射等を含まない、全黒表示部と全白表示部の輝度比）を得ることができ、所望の表示領域の明るさを強調することが可能となるので、画像表示の品質の向上を図ることができる。
【発明を実施するための最良の形態】
【００４０】
以下、図面を参照して、実施例に基づき本発明を説明する。
【実施例１】
【００４１】
実施例１は、本発明の第１の態様及び第２の態様に係る面状光源装置及び液晶表示装置組立体に関する。実施例１の液晶表示装置組立体は、図７に概念図を示すように、
（イ）２次元マトリクス状に配列された画素から構成された表示領域１１を有する透過型の液晶表示装置（実施例１にあっては、カラー液晶表示装置１０）、及び、
（ロ）液晶表示装置（カラー液晶表示装置１０）を背面から照明する面状光源装置４０、
を備えている。
【００４２】
カラー液晶表示装置１０は、第１の方向に沿ってＭ0個、第１の方向と直交する第２の方向に沿ってＮ0個の、合計Ｍ0×Ｎ0個の画素が２次元マトリクス状に配列された表示領域１１を備えている。ここで、表示領域１１を、Ｐ×Ｑ個（Ｐ及びＱは、それぞれ、２以上の整数であり、同じ値であってもよいし、異なる値であってもよく、カラー液晶表示装置１０の仕様に依る）の仮想の表示領域ユニット１２に分割したと想定する。各表示領域ユニット１２は複数の画素から構成されている。具体的には、例えば、画像表示用解像度としてＨＤ−ＴＶ規格を満たすものであり、２次元マトリクス状に配列された画素（ピクセル）の数Ｍ0×Ｎ0を（Ｍ0，Ｎ0）で表記したとき、例えば、（１９２０，１０８０）である。また、２次元マトリクス状に配列された画素から構成された表示領域１１（図７において、一点鎖線で示す）がＰ×Ｑ個の仮想の表示領域ユニット１２（境界を点線で示す）に分割されている。（Ｐ，Ｑ）の値は、例えば、（１９，１２）である。但し、図面の簡素化のため、図７における表示領域ユニット１２（及び、後述する面状光源ユニット４２）の数は、この値と異なる。各表示領域ユニット１２は複数（Ｍ×Ｎ）の画素から構成されており、１つの表示領域ユニット１２を構成する画素の数は、例えば、約１万である。各画素は、それぞれが異なる色を発光する複数の副画素を１組として構成されている。より具体的には、各画素は、赤色発光副画素（副画素［Ｒ］）、緑色発光副画素（副画素［Ｇ］）、及び、青色発光副画素（副画素［Ｂ］）の３種の副画素（サブピクセル）から構成されている。このカラー液晶表示装置１０は、線順次駆動される。より具体的には、カラー液晶表示装置１０は、マトリクス状に交差する走査電極（第１の方向に沿って延びている）とデータ電極（第２の方向に沿って延びている）とを有し、走査電極に走査信号を入力して走査電極を選択、走査し、データ電極に入力されたデータ信号（制御信号に基づく信号である）に基づき画像を表示させ、１画面を構成する。
【００４３】
分割駆動方式の直下型の面状光源装置（バックライト）４０は、カラー液晶表示装置１０の表示領域１１をＰ×Ｑ個の仮想の表示領域ユニット１２に分割したと想定したときのこれらのＰ×Ｑ個の表示領域ユニット１２に対応したＰ×Ｑ個の面状光源ユニット４２から成り、各面状光源ユニット４２は、面状光源ユニット４２に対応する表示領域ユニット１２を背面から白色光にて照明する。ここで、Ｐ×Ｑ個の面状光源ユニット４２の発光状態は個別に制御される。尚、カラー液晶表示装置１０の下方に面状光源装置４０が位置しているが、図７においては、カラー液晶表示装置１０と面状光源装置４０とを別々に表示した。光源は、パルス幅変調（ＰＷＭ）制御方式に基づき駆動される発光素子（発光ダイオード）５１から成る。面状光源ユニット４２の輝度の増減は、面状光源ユニット４２を構成する発光素子（発光ダイオード）５１のパルス幅変調制御におけるデューティ比の増減制御によって行う。
【００４４】
本発明の第１の態様に係る面状光源装置等の表現に沿って実施例１を説明すると、以下のとおりとなる。
【００４５】
各面状光源ユニット４２に備えられた光源は、ｊC×ｊR個（但し、ｊC及びｊCは２以上の整数）の発光素子ユニット５０を有する。そして、各面状光源ユニット４２における発光素子ユニット５０は、少なくとも、第１発光素子ユニット５０Ａと第２発光素子ユニット５０Ｂとに分類される。具体的には、実施例１にあっては、各面状光源ユニット４２における発光素子ユニット５０は、第１発光素子ユニット５０Ａと第２発光素子ユニット５０Ｂの２つの発光素子ユニットに分類される。ここで、実施例１にあっては、ｊC＝ｊR＝２とした。尚、各発光素子ユニット５０は、ｉ個（但し、ｉは１以上の整数）の赤色を発光する赤色発光素子（赤色発光ダイオード）５１Ｒ、２ｉ個の緑色を発光する緑色発光素子（緑色発光ダイオード）５１Ｇ、及び、ｉ個の青色を発光する青色発光素子（青色発光ダイオード）５１Ｂから構成されている。具体的には、実施例１にあっては，ｉ＝１であり、各発光素子ユニット５０は、１個の赤色を発光する赤色発光素子（赤色発光ダイオード）５１Ｒ、２個の緑色を発光する緑色発光素子（緑色発光ダイオード）５１Ｇ、及び、１個の青色を発光する青色発光素子（青色発光ダイオード）５１Ｂから構成されている。
【００４６】
そして、各面状光源ユニット４２は、以下のとおりに構成されている。即ち、
（Ａ）赤色発光素子５１Ｒは、第１の輝度値を有する赤色発光素子５１Ｒ1と、第１の輝度値よりも低い第２の輝度値を有する赤色発光素子５１Ｒ2とに分類され、
（Ｂ）緑色発光素子５１Ｇは、第１の輝度値を有する緑色発光素子５１Ｇ1と、第１の輝度値よりも低い第２の輝度値を有する緑色発光素子５１Ｇ2とに分類され、
（Ｃ）青色発光素子５１Ｂは、第１の輝度値を有する青色発光素子５１Ｂ1と、第１の輝度値よりも低い第２の輝度値を有する青色発光素子５１Ｂ2とに分類される。
【００４７】
また、
（Ｄ）第１発光素子ユニット５０Ａを構成する赤色発光素子５１Ｒの有する輝度値の分類範疇は、第２発光素子ユニット５０Ｂを構成する赤色発光素子５１Ｒの有する輝度値の分類範疇と異なり、
（Ｅ）各発光素子ユニット５０Ａ，５０Ｂを構成する２ｉ個（具体的には、２個）の緑色発光素子５１Ｇは、第１の輝度値を有する緑色発光素子５１Ｇ1、及び、第２の輝度値を有する緑色発光素子５１Ｇ2から構成され、
（Ｆ）第１発光素子ユニット５０Ａを構成する青色発光素子５１Ｂの有する輝度値の分類範疇は、第２発光素子ユニット５０Ｂを構成する青色発光素子５１Ｂの有する輝度値の分類範疇と異なる。
【００４８】
そして、
（Ｇ）第１発光素子ユニット５０Ａと第２発光素子ユニット５０Ｂとは、少なくとも２回回転対称に配置されている。
【００４９】
尚、以上の項目（Ａ）〜（Ｇ）を、規則（Ａ）〜（Ｇ）と呼ぶ場合がある。
【００５０】
より具体的には、実施例１にあっては、第１発光素子ユニット５０Ａを構成する赤色発光素子５１Ｒは第１の輝度値を有し、青色発光素子５１Ｂは第１の輝度値を有する。一方、第２発光素子ユニット５０Ｂを構成する赤色発光素子５１Ｒは第２の輝度値を有し、青色発光素子５１Ｂは第２の輝度値を有する。図１の（Ａ）に９つの面状光源ユニット４２のそれぞれにおける第１発光素子ユニット５０Ａ及び第２発光素子ユニット５０Ｂの配置状態を模式的に示し、図１の（Ｂ）に、１つの面状光源ユニット４２における第１発光素子ユニット５０Ａ及び第２発光素子ユニット５０Ｂ、更には、これらの第１発光素子ユニット５０Ａ及び第２発光素子ユニット５０Ｂを構成する発光素子の配置状態を模式的に示す。尚、図１の（Ａ）において、面状光源ユニット４２と面状光源ユニット４２の境界を実線で示し、図１の（Ｂ）において、第１発光素子ユニット５０Ａ及び第２発光素子ユニット５０Ｂを点線の正方形で示した。
【００５１】
ここで、第１発光素子ユニット５０Ａと第２発光素子ユニット５０Ｂとは、実施例１にあっては、ｊC＝ｊR＝２であるので、交互に、且つ、２回回転対称に配置されている。また、面状光源ユニット４２の平面形状は矩形であり、４つの発光素子ユニット５０Ａ，５０Ｂのそれぞれは、面状光源ユニット４２の四隅に配置されている。
【００５２】
尚、図１の（Ａ）及び（Ｂ）に示した平面形状が矩形の面状光源ユニット４２において、便宜上、左上に配置された第１発光素子ユニット５０Ａを第１番目の発光素子ユニット５０1、右上に配置された第２発光素子ユニット５０Ｂを第２番目の発光素子ユニット５０2、右下に配置された第１発光素子ユニット５０Ａを第３番目の発光素子ユニット５０3、左下に配置された第２発光素子ユニット５０Ｂを第４番目の発光素子ユニット５０4と呼ぶ。ここで、図１の（Ｂ）に示すように、第１番目の発光素子ユニット５０1を構成する４個の発光素子５１Ｇ1，５１Ｇ2，５１Ｒ1，５１Ｂ1の配置状態は、第３番目の発光素子ユニット５０3を構成する４個の発光素子５１Ｇ1，５１Ｇ2，５１Ｒ1，５１Ｂ1の配置状態と、２回回転対称であり、第２番目の発光素子ユニット５０2を構成する４個の発光素子５１Ｇ1，５１Ｇ2，５１Ｒ2，５１Ｂ2の配置状態は、第４番目の発光素子ユニット５０4を構成する４個の発光素子５１Ｇ1，５１Ｇ2，５１Ｒ2，５１Ｂ2の配置状態と、２回回転対称であるが、回転対称でなくともよい。
【００５３】
あるいは又、本発明の第２の態様に係る面状光源装置等の表現に沿って実施例１を説明すると、以下のとおりとなる。
【００５４】
実施例１の面状光源装置は、第１の方向にＰ×ｊC個、第２の方向にＱ×ｊR個（但し、Ｐ及びＱは正の整数であり、ｊC及びｊCは２以上の整数であり、実施例１にあってはｊC＝ｊR＝２）の、合計、Ｐ×Ｑ×ｊC×ｊR個の発光素子ユニット５０を有する。そして、各発光素子ユニット５０は、ｉ個（但し、ｉは１以上の整数）の赤色を発光する赤色発光素子５１Ｒ、２ｉ個の緑色を発光する緑色発光素子５１Ｇ、及び、ｉ個の青色を発光する青色発光素子５１Ｂから構成されている。ここで、実施例１にあっては、ｉの値は「１」である。
【００５５】
ここで、任意の位置に位置する発光素子ユニットを第１番目の発光素子ユニット５０1とし、この第１番目の発光素子ユニット５０1に対して第１の方向に隣接した発光素子ユニットを第２番目の発光素子ユニット５０2とし、この第１番目の発光素子ユニット５０1に対して第２の方向に隣接した発光素子ユニットを第４番目の発光素子ユニット５０4とし、この第２番目の発光素子ユニット５０2に対して第２の方向に隣接した発光素子ユニットを第３番目の発光素子ユニット５０3とする。尚、図１の（Ａ）において、或る組の第１番目の発光素子ユニット５０1〜第４番目の発光素子ユニット５０4（面状光源ユニット最小単位である）を点線で囲み、別の組の第１番目の発光素子ユニット５０1〜第４番目の発光素子ユニット５０4（やはり、面状光源ユニット最小単位である）を一点鎖線で囲んだ。
【００５６】
そして、
（ａ）４つの発光素子ユニット５０1，５０2，５０3，５０4を構成する４ｉ個（具体的には、４個）の赤色発光素子５１Ｒは、第１の輝度値を有する２ｉ個（具体的には、２個）の赤色発光素子５１Ｒ1と、第１の輝度値よりも低い第２の輝度値を有する２ｉ個（具体的には、２個）の赤色発光素子５１Ｒ2とに分類され、
（ｂ）４つの発光素子ユニット５０1，５０2，５０3，５０4を構成する８ｉ個（具体的には、８個）の緑色発光素子５１Ｇは、第１の輝度値を有する４ｉ個（具体的には、４個）の緑色発光素子５１Ｇ1と、第１の輝度値よりも低い第２の輝度値を有する４ｉ個（具体的には、４個）の緑色発光素子５１Ｇ2とに分類され、
（ｃ）４つの発光素子ユニット５０1，５０2，５０3，５０4を構成する４ｉ個（具体的には、４個）の青色発光素子５１Ｂは、第１の輝度値を有する２ｉ個（具体的には、２個）の青色発光素子５１Ｂ1と、第１の輝度値よりも低い第２の輝度値を有する２ｉ個（具体的には、２個）の青色発光素子５１Ｂ2とに分類される。
【００５７】
更には、
（ｄ）第１番目の発光素子ユニット５０1及び第３番目の発光素子ユニット５０3を構成する赤色発光素子５１Ｒの有する輝度値の分類範疇は、同じ分類範疇に属し、第２番目の発光素子ユニット５０2及び第４番目の発光素子ユニット５０4を構成する赤色発光素子５１Ｒの有する輝度値の分類範疇は、同じ分類範疇に属し、
（ｅ）第１番目の発光素子ユニット５０1及び第３番目の発光素子ユニット５０3を構成する赤色発光素子５１Ｒの有する輝度値の分類範疇は、第２番目の発光素子ユニット５０2及び第４番目の発光素子ユニット５０4を構成する赤色発光素子５１Ｒの有する輝度値の分類範疇と異なる。
【００５８】
また、
（ｆ）第１番目、第２番目、第３番目及び第４番目の発光素子ユニット５０1，５０2，５０3，５０4のそれぞれを構成する２ｉ個（具体的には、２個）の緑色発光素子５１Ｇは、第１の輝度値を有する緑色発光素子５１Ｇ1、及び、第２の輝度値を有する緑色発光素子５１Ｇ2から構成されている。
【００５９】
更には、
（ｇ）第１番目の発光素子ユニット５０1及び第３番目の発光素子ユニット５０3を構成する青色発光素子５１Ｂの有する輝度値の分類範疇は、同じ分類範疇に属し、第２番目の発光素子ユニット５０2及び第４番目の発光素子ユニット５０4を構成する青色発光素子５１Ｂの有する輝度値の分類範疇は、同じ分類範疇に属し、
（ｈ）第１番目の発光素子ユニット５０1及び第３番目の発光素子ユニット５０3を構成する青色発光素子５１Ｂの有する輝度値の分類範疇は、第２番目の発光素子ユニット５０2及び第４番目の発光素子ユニット５０4を構成する青色発光素子５１Ｂの有する輝度値の分類範疇と異なる。
【００６０】
尚、以上の項目（ａ）〜（ｈ）を、規則（ａ）〜（ｈ）と呼ぶ場合がある。
【００６１】
ここで、赤色発光素子５１Ｒにおける第１の輝度値をＩR-1、第２の輝度値をＩR-2とし、緑色発光素子５１Ｇにおける第１の輝度値をＩG-1、第２の輝度値をＩG-2とし、青色発光素子５１Ｂにおける第１の輝度値をＩB-1、第２の輝度値をＩB-2としたとき、ＩR-2／ＩR-1、ＩG-2／ＩG-1、ＩB-2／ＩB-1の平均値は、それぞれ、以下のとおりである。
ＩR-2／ＩR-1＝０．６３
ＩG-2／ＩG-1＝０．５６
ＩB-2／ＩB-1＝０．６３
【００６２】
また、面状光源ユニット４２における赤色発光素子５１Ｒに基づく輝度プロファイルの重心と、緑色発光素子５１Ｇに基づく輝度プロファイルの重心と、青色発光素子５１Ｂに基づく輝度プロファイルの重心とは、略一致している。あるいは又、４つの発光素子ユニット５０1，５０2，５０3，５０4によって構成される面状光源ユニット最小単位における赤色発光素子５１Ｒに基づく輝度プロファイルの重心と、緑色発光素子５１Ｇに基づく輝度プロファイルの重心と、青色発光素子５１Ｂに基づく輝度プロファイルの重心とは、略一致している。
【００６３】
実施例１の面状光源ユニット４２を採用したときの輝度むらをシミュレーションした結果（短周期輝度むらの最大変化割合）を、図３に黒丸印で示す。併せて、比較例１−Ａとして、図１４の（Ａ）に示す配置を採用したときの面状光源ユニットにおける輝度むらのシミュレーション結果を、図３に黒四角印で示す。更には、比較例１−Ｂとして、図１４の（Ｂ）に示す配置を採用したときの面状光源ユニットにおける輝度むらのシミュレーション結果を図３にアスタリスク（＊）印で示す。尚、図１４の（Ｂ）に示す配置にあっては、全ての発光素子ユニットが、第１の輝度値を有する赤色発光素子、第１の輝度値を有する緑色発光素子、第１の輝度値を有する青色発光素子によって構成されている。ここで、図３の横軸は、後述する反射シート７５から光拡散板７１までの距離を、発光素子ユニットのピッチで除した値である。
【００６４】
図３から、実施例１における面状光源ユニット４２の輝度むらは、比較例１−Ｂにおける面状光源ユニットの輝度むら（即ち、同じ発光輝度を有する発光素子から構成された面状光源ユニットの輝度むら）とほぼ同等であり、比較例１−Ａにおける面状光源ユニットの輝度むらよりも格段に改善されていることが判る。
【００６５】
更には、実施例１の面状光源装置において、青色発光素子の発光波長を異ならせて、識別閾（Just Noticeable Difference，ＪＮＤ）を評価した。その結果を、図４に「ケース１」及び「ケース４」で示す。また、比較例１−Ａの面状光源装置において、青色発光素子の発光波長を異ならせて、識別閾を評価した。その結果を、図４に「ケース２」及び「ケース５」で示す。更には、比較例１−Ｂの面状光源装置において、青色発光素子の発光波長を異ならせて、識別閾を評価した。その結果を、図４に「ケース３」及び「ケース６」で示す。尚、「ケース１」、「ケース２」、「ケース３」にあっては、赤色発光素子の発光波長、緑色発光素子の発光波長、及び、青色発光素子の発光波長は、いずれも、「短い発光波長」に分類され、「ケース４」、「ケース５」、「ケース６」にあっては、赤色発光素子の発光波長及び緑色発光素子の発光波長は「短い発光波長」に分類され、青色発光素子の発光波長は「長い発光波長」に分類される。図４から、発光波長を変えても、面状光源装置から出射される照明光の識別閾に差は認められなかったことが判る。尚、各ケースにおける棒グラフの左側は１０００台の面状光源装置の平均値を示し、右側は（平均値＋６σ）の値を示す。尚、識別閾については、例えば、東京電機大学出版局発行の「色彩工学」（大田登  著）、第２版の第８０頁や第１１６頁を参照のこと。
【００６６】
図２の（Ａ）〜（Ｐ）に、例えば、発光素子ユニット５０1における赤色発光素子５１Ｒ1，５１Ｒ2、緑色発光素子５１Ｇ1，５１Ｇ2、及び、青色発光素子５１Ｂ1，５１Ｂ2の配列を模式的に図示する。尚、残りの発光素子ユニット５０2，５０3，５０4に関しては、図２の（Ａ）〜（Ｐ）に示した発光素子ユニットから、上述した規則（Ａ）〜（Ｇ）あるいは規則（ａ）〜（ｈ）に則り、適切に選択すればよい。
【実施例２】
【００６７】
実施例２は実施例１の変形である。実施例２にあっては、ｊC＝ｊR＝３とした。図５の（Ａ）に４つの面状光源ユニット４２のそれぞれにおける第１発光素子ユニット５０Ａ及び第２発光素子ユニット５０Ｂの配置状態を模式的に示す。実施例２にあっては、ｊC×ｊRの値は「９」の奇数であるが故に、図５に示すように、回転対称軸上に発光素子ユニットが存在する。この回転対称軸上に存在する発光素子ユニットは、発光素子ユニット５０Ａであってもよいし、発光素子ユニット５０Ｂであってもよい。また、実施例２の発光素子ユニットにおける赤色発光素子５１Ｒ1，５１Ｒ2、緑色発光素子５１Ｇ1，５１Ｇ2、及び、青色発光素子５１Ｂ1，５１Ｂ2の配列は、図２の（Ａ）〜（Ｐ）に示した配列、及び、係る配列に基づき、上述した規則（Ａ）〜（Ｇ）あるいは規則（ａ）〜（ｈ）に則り、適切に選択された配列とすればよい。
【実施例３】
【００６８】
実施例３も実施例１の変形である。実施例３にあっては、ｊC＝３，ｊR＝２とした。図５の（Ｂ）に６つの面状光源ユニット４２のそれぞれにおける第１発光素子ユニット５０Ａ及び第２発光素子ユニット５０Ｂの配置状態を模式的に示す。実施例３にあっては、ｊC、ｊRのいずれか一方が３以上の値であり、しかも、ｊC≠ｊRであるが故に、第１発光素子ユニット５０Ａと第２発光素子ユニット５０Ｂとは、交互に、且つ、２回回転対称に配置されている。実施例３の発光素子ユニットにおける赤色発光素子５１Ｒ1，５１Ｒ2、緑色発光素子５１Ｇ1，５１Ｇ2、及び、青色発光素子５１Ｂ1，５１Ｂ2の配列は、図２の（Ａ）〜（Ｐ）に示した配列、及び、係る配列に基づき、上述した規則（Ａ）〜（Ｇ）あるいは規則（ａ）〜（ｈ）に則り、適切に選択された配列とすればよい。
【実施例４】
【００６９】
実施例４も実施例１の変形である。実施例４にあっては、ｊC＝ｊR＝４とした。図６の（Ａ）に４つの面状光源ユニット４２のそれぞれにおける第１発光素子ユニット５０Ａ及び第２発光素子ユニット５０Ｂの配置状態を模式的に示す。実施例４の発光素子ユニットにおける赤色発光素子５１Ｒ1，５１Ｒ2、緑色発光素子５１Ｇ1，５１Ｇ2、及び、青色発光素子５１Ｂ1，５１Ｂ2の配列も、図２の（Ａ）〜（Ｐ）に示した配列、及び、係る配列に基づき、上述した規則（Ａ）〜（Ｇ）あるいは規則（ａ）〜（ｈ）に則り、適切に選択された配列とすればよい。
【００７０】
以下、実施例１〜実施例４において説明した面状光源装置を組み込んだ液晶表示装置組立体について説明する。
【００７１】
面状光源装置４０における面状光源ユニット４２等の配置、配列状態を図９の（Ａ）に模式的に示し、カラー液晶表示装置１０及び面状光源装置４０から成る液晶表示装置組立体の模式的な一部断面図を図９の（Ｂ）に示す。ここで、図９の（Ａ）においては、面状光源ユニット４２と面状光源ユニット４２の境界４１を実線で示した。尚、境界４１上に隔壁を設けてもよい。
【００７２】
図９の（Ｂ）に液晶表示装置組立体の模式的な一部断面図を示すように、面状光源装置４０は、外側フレーム６３と内側フレーム６４とを備えた筐体６１から構成されている。そして、カラー液晶表示装置１０の端部は、外側フレーム６３と内側フレーム６４とによって、スペーサ６５Ａ，６５Ｂを介して挟み込まれるように保持されている。外側フレーム６３と内側フレーム６４との間には、ガイド部材６６が配置されており、外側フレーム６３と内側フレーム６４とによって挟み込まれたカラー液晶表示装置１０がずれない構造となっている。筐体６１の内部であって上部には、光拡散板７１が、スペーサ６５Ｃ、ブラケット部材６７を介して、内側フレーム６４に取り付けられている。光拡散板７１の上には、拡散シート７２、プリズムシート７３、偏光変換シート７４といった光学機能シート群が積層されている。筐体６１の内部であって下部には、反射シート７５が備えられている。ここで、この反射シート７５は、その反射面が光拡散板７１と対向するように配置され、筐体６１の底面６２Ａに図示しない取付け用部材を介して取り付けられている。反射シート７５は、例えば、シート基材上に、白色ポリエチレンテレフタレートフィルム（ＭＣＰＥＴ）や銀反射膜、低屈折率膜、高屈折率膜を順に積層された構造を有する銀増反射膜から構成することができる。反射シート７５は、複数の発光素子５１から出射された光や、筐体６１の側面６２Ｂによって反射された光を反射する。こうして、赤色を発光する赤色発光素子５１Ｒ、緑色を発光する緑色発光素子５１Ｇ、及び、青色を発光する青色発光素子５１Ｂから出射された赤色光、緑色光及び青色光が混色され、色純度の高い白色光を照明光として得ることができる。この白色光の照明光は、面状光源ユニット４２から光拡散板７１を介して出射され、拡散シート７２、プリズムシート７３、偏光変換シート７４といった光学機能シート群を通過し、カラー液晶表示装置１０を背面から照明する。
【００７３】
筐体６１の底面６２Ａ近傍には、光センサーであるフォトダイオード４３Ｒ，４３Ｇ，４３Ｂが配置されている。尚、フォトダイオード４３Ｒは、赤色光の光強度を測定するために赤色フィルターが取り付けられたフォトダイオードであり、フォトダイオード４３Ｇは、緑色光の光強度を測定するために緑色フィルターが取り付けられたフォトダイオードであり、フォトダイオード４３Ｂは、青色光の光強度を測定するために青色フィルターが取り付けられたフォトダイオードである。ここで、１個の面状光源ユニット４２に１組の光センサー（フォトダイオード４３Ｒ，４３Ｇ，４３Ｂ）が配置されている。光センサーであるフォトダイオード４３Ｒ，４３Ｇ，４３Ｂによって、発光素子５１Ｒ，５１Ｇ，５１Ｂの輝度及び色度が測定される。
【００７４】
カラー液晶表示装置１０は、図１０に模式的な一部断面図を示すように、透明第１電極２４を備えたフロント・パネル２０、透明第２電極３４を備えたリア・パネル３０、及び、フロント・パネル２０とリア・パネル３０との間に配された液晶材料１３から成る。
【００７５】
フロント・パネル２０は、例えば、ガラス基板から成る第１の基板２１と、第１の基板２１の外面に設けられた偏光フィルム２６とから構成されている。第１の基板２１の内面には、アクリル樹脂やエポキシ樹脂から成るオーバーコート層２３によって被覆されたカラーフィルター２２が設けられ、オーバーコート層２３上には、透明第１電極（共通電極とも呼ばれ、例えば、ＩＴＯから成る）２４が形成され、透明第１電極２４上には配向膜２５が形成されている。一方、リア・パネル３０は、より具体的には、例えば、ガラス基板から成る第２の基板３１と、第２の基板３１の内面に形成されたスイッチング素子（具体的には、薄膜トランジスタ、ＴＦＴ）３２と、スイッチング素子３２によって導通／非導通が制御される透明第２電極（画素電極とも呼ばれ、例えば、ＩＴＯから成る）３４と、第２の基板３１の外面に設けられた偏光フィルム３６とから構成されている。透明第２電極３４を含む全面には配向膜３５が形成されている。フロント・パネル２０とリア・パネル３０とは、それらの外周部で封止材（図示せず）を介して接合されている。尚、スイッチング素子３２は、ＴＦＴに限定されず、例えば、ＭＩＭ素子から構成することもできる。また、図面における参照番号３７は、スイッチング素子３２とスイッチング素子３２との間に設けられた絶縁層である。
【００７６】
これらの透過型のカラー液晶表示装置を構成する各種の部材や、液晶材料は、周知の部材、材料から構成することができるので、詳細な説明は省略する。
【００７７】
図７及び図８に示すように、外部（ディスプレイ回路）からの駆動信号に基づき面状光源装置４０及びカラー液晶表示装置１０を駆動するための駆動回路は、パルス幅変調制御方式に基づき、面状光源装置４０を構成する赤色発光素子５１Ｒ、緑色発光素子５１Ｇ、及び、青色発光素子５１Ｂのオン／オフ制御を行う面状光源装置制御回路８０及び面状光源ユニット駆動回路９０、並びに、液晶表示装置駆動回路１００から構成されている。
【００７８】
面状光源装置制御回路８０は、演算回路８１及び記憶装置（メモリ）８２から構成されている。一方、面状光源ユニット駆動回路９０は、演算回路９１、記憶装置（メモリ）９２、発光素子駆動回路９３、フォトダイオード制御回路９４、ＦＥＴから成るスイッチング素子９５Ｒ，９５Ｇ，９５Ｂ、発光素子駆動電源（定電流源）９６から構成されている。面状光源装置制御回路８０及び面状光源ユニット駆動回路９０を構成するこれらの回路等は、周知の回路等とすることができる。一方、カラー液晶表示装置１０を駆動するための液晶表示装置駆動回路１００は、タイミングコントローラ１０１といった周知の回路から構成されている。カラー液晶表示装置１０には、液晶セルを構成するＴＦＴから成るスイッチング素子３２を駆動するためのゲート・ドライバ、ソース・ドライバ等（これらは図示せず）が備えられている。
【００７９】
そして、或る画像表示フレームにおける発光素子５１Ｒ，５１Ｇ，５１Ｂの発光状態は、フォトダイオード４３Ｒ，４３Ｇ，４３Ｂによって測定され、フォトダイオード４３Ｒ，４３Ｇ，４３Ｂからの出力はフォトダイオード制御回路９４に入力され、フォトダイオード制御回路９４、演算回路９１において、発光素子５１Ｒ，５１Ｇ，５１Ｂの例えば輝度及び色度としてのデータ（信号）とされ、係るデータが発光素子駆動回路９３に送られ、次の画像表示フレームにおける発光素子５１Ｒ，５１Ｇ，５１Ｂの発光状態が制御されるといったフィードバック機構が形成される。
【００８０】
発光素子５１Ｒ，５１Ｇ，５１Ｂの下流には電流検出用の抵抗体ｒR，ｒG，ｒBが、発光素子５１Ｒ，５１Ｇ，５１Ｂと直列に挿入されており、抵抗体ｒR，ｒG，ｒBを流れる電流が電圧に変換され、抵抗体ｒR，ｒG，ｒBにおける電圧降下が所定の値となるように、発光素子駆動回路９３の制御下、発光素子駆動電源９６の動作が制御される。ここで、図８には、発光素子駆動電源（定電流源）９６を１つで描写しているが、実際には、発光素子５１Ｒ，５１Ｇ，５１Ｂのそれぞれを駆動するための発光素子駆動電源９６が配されている。１つの面状光源ユニット４２において、４ｉ個の赤色発光素子５１Ｒ（５１Ｒ1，５１Ｒ2）は直列に接続され、８ｉ個の緑色発光素子５１Ｇ（５１Ｇ1，５１Ｇ2）は直列に接続され、４ｉ個の青色発光素子５１Ｂ（５１Ｂ1，５１Ｂ2）は直列に接続されている。
【００８１】
２次元マトリクス状に配列された画素から構成された表示領域１１がＰ×Ｑ個の表示領域ユニットに分割されているが、この状態を、「行」及び「列」で表現すると、Ｑ行×Ｐ列の表示領域ユニットに分割されていると云える。また、表示領域ユニット１２は複数（Ｍ×Ｎ）の画素から構成されているが、この状態を、「行」及び「列」で表現すると、Ｎ行×Ｍ列の画素から構成されていると云える。更には、赤色発光副画素（副画素［Ｒ］）、緑色発光副画素（副画素［Ｇ］）、及び、青色発光副画素（副画素［Ｂ］）を一括して纏めて『副画素［Ｒ，Ｇ，Ｂ］』と呼ぶ場合があるし、副画素［Ｒ，Ｇ，Ｂ］の動作の制御（具体的には、例えば、光透過率（開口率）の制御）のために副画素［Ｒ，Ｇ，Ｂ］に入力される赤色発光副画素・制御信号、緑色発光副画素・制御信号、及び、青色発光副画素・制御信号を一括して纏めて『制御信号［Ｒ，Ｇ，Ｂ］』と呼ぶ場合があるし、表示領域ユニットを構成する副画素［Ｒ，Ｇ，Ｂ］を駆動するために駆動回路に外部から入力される赤色発光副画素・駆動信号、緑色発光副画素・駆動信号、及び、青色発光副画素・駆動信号を一括して纏めて『駆動信号［Ｒ，Ｇ，Ｂ］』と呼ぶ場合がある。
【００８２】
各画素は、前述したように、赤色発光副画素（赤色発光サブピクセル，副画素［Ｒ］）、緑色発光副画素（緑色発光サブピクセル，副画素［Ｇ］）、及び、青色発光副画素（青色発光サブピクセル，副画素［Ｂ］）の３種の副画素（サブピクセル）を１組として構成されている。以下の実施例の説明においては、副画素［Ｒ，Ｇ，Ｂ］のそれぞれの輝度の制御（階調制御）を８ビット制御とし、０〜２５５の２8段階にて行うとする。従って、各表示領域ユニット１２を構成する各画素における副画素［Ｒ，Ｇ，Ｂ］のそれぞれを駆動するために液晶表示装置駆動回路１００に入力される駆動信号［Ｒ，Ｇ，Ｂ］の値ｘR，ｘG，ｘBのそれぞれは、２8段階の値をとる。また、各面状光源ユニットを構成する赤色発光素子５１Ｒ、緑色発光素子５１Ｇ及び青色発光素子５１Ｂのそれぞれの発光時間を制御するためのパルス幅変調出力信号の値ＳR，ＳG，ＳBも、０〜２５５の２8段階の値をとる。但し、これに限定するものではなく、例えば、１０ビット制御とし、０〜１０２３の２10段階にて行うこともでき、この場合には、８ビットの数値での表現を、例えば４倍すればよい。
【００８３】
副画素のそれぞれに、副画素のそれぞれの光透過率Ｌｔを制御する制御信号が駆動回路から供給される。具体的には、副画素［Ｒ，Ｇ，Ｂ］のそれぞれに、副画素［Ｒ，Ｇ，Ｂ］のそれぞれの光透過率Ｌｔを制御する制御信号［Ｒ，Ｇ，Ｂ］が液晶表示装置駆動回路１００から供給される。即ち、液晶表示装置駆動回路１００においては、入力された駆動信号［Ｒ，Ｇ，Ｂ］から制御信号［Ｒ，Ｇ，Ｂ］が生成され、この制御信号［Ｒ，Ｇ，Ｂ］が副画素［Ｒ，Ｇ，Ｂ］に供給（出力）される。尚、面状光源ユニット４２の輝度である光源輝度Ｙ2を１画像表示フレーム毎に変化させるので、制御信号［Ｒ，Ｇ，Ｂ］は、例えば、駆動信号［Ｒ，Ｇ，Ｂ］の値ｘR，ｘG，ｘBを２．２乗した値に対して、光源輝度Ｙ2の変化に基づく補正（補償）を行った値ＸR-corr，ＸG-corr，ＸB-corrを有する。そして、液晶表示装置駆動回路１００を構成するタイミングコントローラ１０１から、カラー液晶表示装置１０のゲート・ドライバ及びソース・ドライバに、制御信号［Ｒ，Ｇ，Ｂ］が周知の方法で送出され、制御信号［Ｒ，Ｇ，Ｂ］に基づき各副画素を構成するスイッチング素子３２が駆動され、液晶セルを構成する透明第１電極２４及び透明第２電極３４に所望の電圧が印加されることで、各副画素の光透過率（開口率）Ｌｔが制御される。ここで、制御信号［Ｒ，Ｇ，Ｂ］の値ＸR-corr，ＸG-corr，ＸB-corrが大きいほど、副画素［Ｒ，Ｇ，Ｂ］の光透過率（開口率）Ｌｔが高くなり、副画素［Ｒ，Ｇ，Ｂ］に対応する表示領域の部分の輝度（表示輝度ｙ）の値が高くなる。即ち、副画素［Ｒ，Ｇ，Ｂ］を通過する光によって構成される画像（通常、一種、点状である）は明るい。
【００８４】
表示輝度ｙ及び光源輝度Ｙ2の制御は、カラー液晶表示装置１０の画像表示における１画像表示フレーム毎、表示領域ユニット毎、面状光源ユニット毎に行われる。また、１画像表示フレーム内におけるカラー液晶表示装置１０の動作と面状光源装置４０の動作とは同期させられる。尚、駆動回路に電気信号として１秒間に送られる画像情報の数（毎秒画像）がフレーム周波数（フレームレート）であり、フレーム周波数の逆数がフレーム時間（単位：秒）である。
【００８５】
以下、実施例における液晶表示装置組立体の駆動方法（分割駆動方式の面状光源装置の駆動方法）を、図７、図８及び図１１を参照して説明する。尚、図１１は、分割駆動方式の面状光源装置の駆動方法を説明するための流れ図である。
【００８６】
ここで、副画素のそれぞれに、副画素のそれぞれの光透過率Ｌｔを制御する制御信号が駆動回路から供給される。より具体的には、各画素を構成する副画素［Ｒ，Ｇ，Ｂ］のそれぞれに、副画素［Ｒ，Ｇ，Ｂ］のそれぞれの光透過率Ｌｔを制御する制御信号［Ｒ，Ｇ，Ｂ］が液晶表示装置駆動回路１００から供給される。そして、面状光源ユニット４２のそれぞれにおいて、各表示領域ユニット１２を構成する全ての画素（副画素［Ｒ，Ｇ，Ｂ］）を駆動するために駆動回路８０，９０，１００に入力される駆動信号［Ｒ，Ｇ，Ｂ］の値ｘR，ｘG，ｘBの内の最大値である表示領域ユニット内・駆動信号最大値ｘU-maxに等しい値を有する駆動信号に相当する制御信号が副画素に供給されたと想定したときの画素（副画素［Ｒ，Ｇ，Ｂ］）の輝度（光透過率・第１規定値Ｌｔ1における表示輝度・第２規定値ｙ2）が得られるように、この表示領域ユニット１２に対応する面状光源ユニット４２を構成する光源の輝度を、面状光源装置制御回路８０及び面状光源ユニット駆動回路９０によって制御する。具体的には、例えば、副画素の光透過率（開口率）を、光透過率・第１規定値Ｌｔ1としたときに表示輝度ｙ2が得られるように、光源輝度Ｙ2を制御すればよい（例えば、減少させればよい）。即ち、例えば、以下の式（１）を満足するように、画像表示フレーム毎に面状光源ユニット４２の光源輝度Ｙ2を制御すればよい。尚、Ｙ2≦Ｙ1の関係にある。
【００８７】
Ｙ2・Ｌｔ1＝Ｙ1・Ｌｔ2    （１）
【００８８】
［ステップ−１００］
スキャンコンバータ等の周知のディスプレイ回路から送出された１画像表示フレーム分の駆動信号［Ｒ，Ｇ，Ｂ］及びクロック信号ＣＬＫは、面状光源装置制御回路８０及び液晶表示装置駆動回路１００に入力される（図７参照）。尚、駆動信号［Ｒ，Ｇ，Ｂ］は、例えば撮像管への入力光量をｙ’としたとき、撮像管からの出力信号であり、例えば放送局等から出力され、副画素の光透過率Ｌｔを制御するために液晶表示装置駆動回路１００にも入力される駆動信号であり、入力光量ｙ’の０．４５乗の関数で表すことができる。そして、面状光源装置制御回路８０に入力された１画像表示フレーム分の駆動信号［Ｒ，Ｇ，Ｂ］の値ｘR，ｘG，ｘBは、面状光源装置制御回路８０を構成する記憶装置（メモリ）８２に、一旦、記憶される。また、液晶表示装置駆動回路１００に入力された１画像表示フレーム分の駆動信号［Ｒ，Ｇ，Ｂ］の値ｘR，ｘG，ｘBも、液晶表示装置駆動回路１００を構成する記憶装置（図示せず）に、一旦、記憶される。
【００８９】
［ステップ−１１０］
次いで、面状光源装置制御回路８０を構成する演算回路８１においては、記憶装置８２に記憶された駆動信号［Ｒ，Ｇ，Ｂ］の値を読み出し、第（ｐ，ｑ）番目［但し、先ず、ｐ＝１，ｑ＝１］の表示領域ユニット１２において、この第（ｐ，ｑ）番目の表示領域ユニット１２を構成する全ての画素における副画素［Ｒ，Ｇ，Ｂ］を駆動するための駆動信号［Ｒ，Ｇ，Ｂ］の値ｘR，ｘG，ｘBの内の最大値である表示領域ユニット内・駆動信号最大値ｘU-maxを、演算回路８１において求める。そして、表示領域ユニット内・駆動信号最大値ｘU-maxを、記憶装置８２に記憶する。このステップを、ｍ＝１，２，・・・，Ｍ、ｎ＝１，２，・・・，Ｎの全てに対して、即ち、Ｍ×Ｎ個の画素に対して、実行する。
【００９０】
例えば、ｘRが「１１０」に相当する値であり、ｘGが「１５０」に相当する値であり、ｘBが「５０」に相当する値である場合、ｘU-maxは「１５０」に相当する値である。
【００９１】
この操作を、（ｐ，ｑ）＝（１，１）から（Ｐ，Ｑ）まで繰り返し、全ての表示領域ユニット１２における表示領域ユニット内・駆動信号最大値ｘU-maxを、記憶装置８２に記憶する。
【００９２】
［ステップ−１２０］
そして、表示領域ユニット内・駆動信号最大値ｘU-maxに等しい値を有する駆動信号［Ｒ，Ｇ，Ｂ］に相当する制御信号［Ｒ，Ｇ，Ｂ］が副画素［Ｒ，Ｇ，Ｂ］に供給されたと想定したときの輝度（光透過率・第１規定値Ｌｔ1における表示輝度・第２規定値ｙ2）が面状光源ユニット４２によって得られるように、表示領域ユニット１２に対応する面状光源ユニット４２の光源輝度Ｙ2を、面状光源ユニット駆動回路９０の制御下、増減する。具体的には、以下の式（１）を満足するように、１画像表示フレーム毎、１面状光源ユニット毎に光源輝度Ｙ2を制御すればよい。より具体的には、光源輝度制御関数ｇ（ｘnol-max）である式（２）に基づき発光素子５１の輝度を制御し、且つ、式（１）を満足するように光源輝度Ｙ2を制御すればよい。このような制御の概念図を、図１３の（Ａ）及び（Ｂ）に示す。但し、後述するように、他の面状光源ユニット４２の影響に基づいた補正を、光源輝度Ｙ2に対して、必要に応じて施すことが望ましい。尚、光源輝度Ｙ2の制御に関するこれらの関係、即ち、表示領域ユニット内・駆動信号最大値ｘU-max、この最大値ｘU-maxに等しい値を有する駆動信号に相当する制御信号の値、このような制御信号が副画素に供給されたと想定したときの表示輝度・第２規定値ｙ2、このときの各副画素の光透過率（開口率）［光透過率・第２規定値Ｌｔ2］、各副画素の光透過率（開口率）を光透過率・第１規定値Ｌｔ1としたときに表示輝度・第２規定値ｙ2が得られるような面状光源ユニット４２における輝度制御パラメータの関係等を、予め求めておき、記憶装置８２等に記憶しておけばよい。
【００９３】
Ｙ2・Ｌｔ1＝Ｙ1・Ｌｔ2    （１）
ｇ（ｘnol-max）＝ａ1・（ｘnol-max）2.2＋ａ0    （２）
【００９４】
ここで、画素を構成する副画素［Ｒ，Ｇ，Ｂ］のそれぞれを駆動するために液晶表示装置駆動回路１００に入力される駆動信号（駆動信号［Ｒ，Ｇ，Ｂ］）の最大値をｘmaxとしたとき、
ｘnol-max≡ｘU-max／ｘmax
であり、ａ1，ａ0は定数であり、
ａ1＋ａ0＝１
０＜ａ0＜１，０＜ａ1＜１
で表すことができる。例えば、
ａ1＝０．９９
ａ0＝０．０１
とすればよい。また、駆動信号［Ｒ，Ｇ，Ｂ］の値ｘR，ｘG，ｘBのそれぞれは、２8段階の値をとるので、ｘmaxの値は「２５５」に相当する値である。
【００９５】
ところで、面状光源装置４０にあっては、例えば、（ｐ，ｑ）＝（１，１）の面状光源ユニット４２の輝度制御を想定した場合、他のＰ×Ｑ個の面状光源ユニット４２からの影響を考慮する必要がある場合がある。このような面状光源ユニット４２が他の面状光源ユニット４２から受ける影響は、各面状光源ユニット４２の発光プロファイルによって予め判明しているので、逆算によって差分を計算でき、その結果、補正が可能である。演算の基本形を以下に説明する。
【００９６】
式（１）及び式（２）の要請に基づくＰ×Ｑ個の面状光源ユニット４２に要求される輝度（光源輝度Ｙ2）を行列［ＬPxQ］で表す。また、或る面状光源ユニットのみを駆動し、他の面状光源ユニットは駆動していないときに得られる或る面状光源ユニットの輝度を、Ｐ×Ｑ個の面状光源ユニット４２に対して予め求めておく。係る輝度を行列［Ｌ’PxQ］で表す。更には、補正係数を行列［αPxQ］で表す。すると、これらの行列の関係は、以下の式（３−１）で表すことができる。補正係数の行列［αPxQ］は、予め求めておくことができる。
［ＬPxQ］＝［Ｌ’PxQ］・［αPxQ］    （３−１）
よって、式（３−１）から行列［Ｌ’PxQ］を求めればよい。行列［Ｌ’PxQ］は、逆行列の演算から求めることができる。即ち、
［Ｌ’PxQ］＝［ＬPxQ］・［αPxQ］-1    （３−２）
を計算すればよい。そして、行列［Ｌ’PxQ］で表された輝度が得られるように、各面状光源ユニット４２に備えられた光源（発光素子５１）を制御すればよく、具体的には、係る操作、処理は、記憶装置（メモリ）８２に記憶された情報（データテーブル）を用いて行えばよい。尚、発光素子５１の制御にあっては、行列［Ｌ’PxQ］の値は負の値を取れないので、演算結果は正の領域にとどめる必要があることは云うまでもない。従って、式（３−２）の解は厳密解ではなく、近似解となる場合がある。
【００９７】
このように、面状光源装置制御回路８０を構成する演算回路８１において得られた式（１）及び式（２）の値に基づき得られた行列［ＬPxQ］、補正係数の行列［αPxQ］に基づき、上述したとおり、面状光源ユニットを単独で駆動したと想定したときの輝度の行列［Ｌ’PxQ］を求め、更には、記憶装置８２に記憶された変換テーブルに基づき、０〜２５５の範囲内の対応する整数（パルス幅変調出力信号の値）に変換する。こうして、面状光源装置制御回路８０を構成する演算回路８１において、面状光源ユニット４２における赤色発光素子５１Ｒの発光時間を制御するためのパルス幅変調出力信号の値ＳR、緑色発光素子５１Ｇの発光時間を制御するためのパルス幅変調出力信号の値ＳG、青色発光素子５１Ｂの発光時間を制御するためのパルス幅変調出力信号の値ＳBを得ることができる。
【００９８】
［ステップ−１３０］
次に、面状光源装置制御回路８０を構成する演算回路８１において得られたパルス幅変調出力信号の値ＳR，ＳG，ＳBは、面状光源ユニット４２に対応して設けられた面状光源ユニット駆動回路９０の記憶装置９２に送出され、記憶装置９２において記憶される。また、クロック信号ＣＬＫも面状光源ユニット駆動回路９０に送出される（図８参照）。
【００９９】
［ステップ−１４０］
そして、パルス幅変調出力信号の値ＳR，ＳG，ＳBに基づき、面状光源ユニット４２を構成する赤色発光素子５１Ｒのオン時間ｔR-ON及びオフ時間ｔR-OFF、緑色発光素子５１Ｇのオン時間ｔG-ON及びオフ時間ｔG-OFF、青色発光素子５１Ｂのオン時間ｔB-ON及びオフ時間ｔB-OFFを演算回路９１は決定する。尚、
ｔR-ON＋ｔR-OFF＝ｔG-ON＋ｔG-OFF＝ｔB-ON＋ｔB-OFF＝一定値ｔConst
である。また、発光素子のパルス幅変調に基づく駆動におけるデューティ比は、
ｔON／（ｔON＋ｔOFF）＝ｔON／ｔConst
で表すことができる。
【０１００】
そして、面状光源ユニット４２を構成する赤色発光素子５１Ｒ，緑色発光素子５１Ｇ、青色発光素子５１Ｂのオン時間ｔR-ON，ｔG-ON，ｔB-ONに相当する信号が、発光素子駆動回路９３に送られ、この発光素子駆動回路９３から、オン時間ｔR-ON，ｔG-ON，ｔB-ONに相当する信号の値に基づき、スイッチング素子９５Ｒ，９５Ｇ，９５Ｂが、オン時間ｔR-ON，ｔG-ON，ｔB-ONだけオン状態となり、発光素子駆動電源９６からのＬＥＤ駆動電流が、各発光素子５１Ｒ，５１Ｇ，５１Ｂに流される。その結果、各発光素子５１Ｒ，５１Ｇ，５１Ｂは、１画像表示フレームにおいて、オン時間ｔR-ON，ｔG-ON，ｔB-ONだけ発光する。こうして、各表示領域ユニット１２を、所定の照度において照明する。
【０１０１】
こうして得られた状態を、図１２の（Ａ）及び（Ｂ）に実線で示すが、図１２の（Ａ）は、副画素を駆動するために液晶表示装置駆動回路１００に入力される駆動信号の値を２．２乗した値（ｘ’≡ｘ2.2）とデューティ比（＝ｔON／ｔConst）との関係を模式的に示す図であり、図１２の（Ｂ）は、副画素の光透過率Ｌｔを制御するための制御信号の値Ｘと表示輝度ｙとの関係を模式的に示す図である。
【０１０２】
［ステップ−１５０］
一方、液晶表示装置駆動回路１００に入力された駆動信号［Ｒ，Ｇ，Ｂ］の値ｘR，ｘG，ｘBはタイミングコントローラ１０１へ送られ、タイミングコントローラ１０１にあっては、入力された駆動信号［Ｒ，Ｇ，Ｂ］に相当する制御信号［Ｒ，Ｇ，Ｂ］を、副画素［Ｒ，Ｇ，Ｂ］に供給（出力）する。液晶表示装置駆動回路１００のタイミングコントローラ１０１において生成され、液晶表示装置駆動回路１００から副画素［Ｒ，Ｇ，Ｂ］に供給される制御信号［Ｒ，Ｇ，Ｂ］の値ＸR，ＸG，ＸBと、駆動信号［Ｒ，Ｇ，Ｂ］の値ｘR，ｘG，ｘBとは、以下の式（４−１）、式（４−２）、式（４−３）の関係にある。但し、ｂ1_R，ｂ0_R，ｂ1_G，ｂ0_G，ｂ1_B，ｂ0_Bは定数である。また、面状光源ユニット４２の光源輝度Ｙ2を画像表示フレーム毎に変化させるので、制御信号［Ｒ，Ｇ，Ｂ］は、基本的に、駆動信号［Ｒ，Ｇ，Ｂ］の値を２．２乗した値に対して、光源輝度Ｙ2の変化に基づく補正（補償）を行った値を有する。即ち、実施例にあっては、１画像表示フレーム毎に光源輝度Ｙ2が変化するので、光源輝度Ｙ2（≦Ｙ1）において表示輝度・第２規定値ｙ2が得られるように制御信号［Ｒ，Ｇ，Ｂ］の値ＸR，ＸG，ＸBを決定、補正（補償）して、副画素の光透過率（開口率）Ｌｔを制御している。ここで、式（４−１）、式（４−２）、式（４−３）の関数ｆR，ｆG，ｆBは、係る補正（補償）を行うための予め求められた関数である。
【０１０３】
ＸR＝ｆR（ｂ1_R・ｘR2.2＋ｂ0_R）    （４−１）
ＸG＝ｆG（ｂ1_G・ｘG2.2＋ｂ0_G）    （４−２）
ＸB＝ｆB（ｂ1_B・ｘB2.2＋ｂ0_B）    （４−３）
【０１０４】
こうして、１画像表示フレームにおける画像表示動作が完了する。
【０１０５】
以上、本発明を好ましい実施例に基づき説明したが、本発明はこの実施例に限定されるものではない。実施例において説明した液晶表示装置や面状光源装置、面状光源ユニット、液晶表示装置組立体、駆動回路の構成、構造は例示であるし、これらを構成する部材、材料等も例示であり、適宜、変更することができる。
【０１０６】
実施例においては、専ら、各面状光源ユニットにおける発光素子ユニットを、第１発光素子ユニットと第２発光素子ユニットとから構成したが、これに限定するものではない。例えば、実施例２の面状光源ユニットの変形例における発光素子ユニットの配置状態を図６の（Ｂ）に示すが、各面状光源ユニットは、第１発光素子ユニット５０Ａ、第２発光素子ユニット５０Ｂ、及び、第３発光素子ユニット５０Ｃから構成されている。尚、この例においては、３×３＝９つの発光素子ユニットの配列における四隅を占める発光素子ユニットのそれぞれは、面状光源ユニットの四隅に配置されており、第１発光素子ユニット５０Ａと第２発光素子ユニット５０Ｂと第３発光素子ユニット５０Ｃは、２回回転対称に配置されている。但し、本発明の第２の態様に係る面状光源装置等の要件は満足していない。
【０１０７】
また、発光素子の温度を温度センサーで監視し、その結果を、面状光源ユニット駆動回路にフィードバックすることで、面状光源ユニットの輝度補償（補正）や温度制御を行ってもよい。実施例においては、液晶表示装置の表示領域をＰ×Ｑ個の仮想の表示領域ユニットに分割したと想定して説明を行ったが、場合によっては、透過型の液晶表示装置は、Ｐ×Ｑ個の実際の表示領域ユニットに分割された構造を有していてもよい。実施例においては、面状光源装置の駆動方式として部分駆動方式（分割駆動方式）を採用したが、これに限定するものではなく、複数の面状光源ユニットあるいは複数の光源を、同時に同じ駆動条件にて駆動する方式を採用してもよいし、同時に異なる駆動条件にて定常的に駆動する方式（例えば、液晶表示装置組立体の製造時、各面状光源ユニットの特性評価試験を行い、面状光源装置全体として一定の均一な輝度が得られように各面状光源ユニットの駆動条件を決定し、液晶表示装置組立体の通常の表示動作時、係る駆動条件に基づき定常的に面状光源装置を駆動する）を採用してもよい。
【図面の簡単な説明】
【０１０８】
【図１】図１の（Ａ）及び（Ｂ）は、それぞれ、実施例１の面状光源ユニットにおける第１発光素子ユニット及び第２発光素子ユニットの配置状態を模式的に示す図、及び、１つの面状光源ユニットにおける第１発光素子ユニット及び第２発光素子ユニット、更には、これらの第１発光素子ユニット及び第２発光素子ユニットを構成する発光素子の配置状態を模式的に示す図である。
【図２】図２の（Ａ）〜（Ｐ）は、１つの発光素子ユニットにおける赤色発光素子、緑色発光素子及び青色発光素子の配列を模式的に示す図である。
【図３】図３は、実施例１における面状光源ユニットを採用したときの輝度むら、及び、比較例１−Ａ、比較例１−Ｂにおける輝度むらをシミュレーションした結果を示すグラフである。
【図４】図４は、実施例１、比較例１−Ａ及び比較例１−Ｂの面状光源装置において、青色発光素子の発光波長を異ならせて、識別閾（Just Noticeable Difference，ＪＮＤ）を評価した結果を示す棒グラフである。
【図５】図５の（Ａ）及び（Ｂ）は、それぞれ、実施例２及び実施例３の面状光源ユニットにおける第１発光素子ユニット及び第２発光素子ユニットの配置状態を模式的に示す図である。
【図６】図６の（Ａ）及び（Ｂ）は、それぞれ、実施例４の面状光源ユニットにおける第１発光素子ユニット及び第２発光素子ユニットの配置状態を模式的に示す図、及び、実施例２の面状光源ユニットの変形例における第１発光素子ユニット、第２発光素子ユニット及び第３発光素子ユニットの配置状態を模式的に示す図である。
【図７】図７は、実施例での使用に適したカラー液晶表示装置及び面状光源装置から成る液晶表示装置組立体の概念図である。
【図８】図８は、実施例での使用に適した駆動回路の一部分の概念図である。
【図９】図９の（Ａ）は、実施例の面状光源装置における発光素子等の配置、配列状態を模式的に示す図であり、図９の（Ｂ）は、実施例のカラー液晶表示装置及び面状光源装置から成る液晶表示装置組立体の模式的な一部断面図である。
【図１０】図１０は、カラー液晶表示装置の模式的な一部断面図である。
【図１１】図１１は、実施例における液晶表示装置組立体の駆動方法を説明するための流れ図である。
【図１２】図１２の（Ａ）は、副画素を駆動するために液晶表示装置駆動回路に入力される駆動信号の値を２．２乗した値（ｘ’≡ｘ2.2）とデューティ比（＝ｔON／ｔConst）との関係を模式的に示す図であり、図１２の（Ｂ）は、副画素の光透過率を制御するための制御信号の値Ｘと表示輝度ｙとの関係を模式的に示す図である。
【図１３】図１３の（Ａ）及び（Ｂ）は、表示領域ユニット内・駆動信号最大値ｘU-maxに等しい値を有する駆動信号に相当する制御信号が画素に供給されたと想定したときの表示輝度・第２規定値ｙ2が面状光源ユニットによって得られるように、面状光源ユニットの光源輝度Ｙ2を、面状光源ユニット駆動回路の制御下、増減する状態を説明するための概念図である。
【図１４】図１４の（Ａ）及び（Ｂ）は、比較例１−Ａ及び比較例１−Ｂの面状光源ユニットにおける発光素子ユニットの配置状態を模式的に示す図である。
【図１５】図１５は、従来のカラー液晶表示装置のＹ方向（画面垂直方向であり、第２の方向）中央におけるＸ方向（画面水平方向であり、第１の方向）に沿った輝度むらを示すグラフである。
【図１６】図１６は、従来のカラー液晶表示装置において輝度むらが生じている状態を示す写真である。
【符号の説明】
【０１０９】
１０・・・カラー液晶表示装置、１１・・・表示領域、１２・・・表示領域ユニット、１３・・・液晶材料、２０・・・フロント・パネル、２１・・・第１の基板、２２・・・カラーフィルター、２３・・・オーバーコート層、２４・・・透明第１電極（共通電極）、２５・・・配向膜、２６・・・偏光フィルム、３０・・・リア・パネル、３１・・・第２の基板、３２・・・スイッチング素子、３４・・・透明第２電極、３５・・・配向膜、３６・・・偏光フィルム、３７・・・絶縁層、４０・・・面状光源装置（バックライト）、４１・・・面状光源ユニットと面状光源ユニットの境界、４２・・・面状光源ユニット、４３，４３Ｒ，４３Ｇ，４３Ｂ・・・フォトダイオード（光センサー）、５０，５０Ａ，５０Ｂ・・・発光素子ユニット、５１，５１Ｒ，５１Ｇ，５１Ｂ・・・発光素子、６１・・・筐体、６２Ａ・・・筐体の底面、６２Ｂ・・・筐体の側面、６３・・・外側フレーム、６４・・・内側フレーム、６５Ａ，６５Ｂ，６５Ｃ・・・スペーサ、６６・・・ガイド部材、６７・・・ブラケット部材、７１・・・光拡散板、７２・・・拡散シート、７３・・・プリズムシート、７４・・・偏光変換シート、７５・・・反射シート、８０・・・面状光源装置制御回路、８１・・・演算回路、８２・・・記憶装置（メモリ）、９０・・・面状光源ユニット駆動回路、９１・・・演算回路、９２・・・記憶装置（メモリ）、９３・・・発光素子駆動回路、９４・・・フォトダイオード制御回路、９５Ｒ，９５Ｇ，９５Ｂ・・・スイッチング素子、９６・・・発光素子駆動電源（定電流源）、１００・・・液晶表示装置駆動回路、１０１・・・タイミングコントローラ
【図１】
0004395801.tif 000003
【図２】
0004395801.tif 000004
【図３】
0004395801.tif 000005
【図４】
0004395801.tif 000006
【図５】
0004395801.tif 000007
【図６】
0004395801.tif 000008
【図７】
0004395801.tif 000009
【図８】
0004395801.tif 000010
【図９】
0004395801.tif 000011
【図１０】
0004395801.tif 000012
【図１１】
0004395801.tif 000013
【図１２】
0004395801.tif 000014
【図１３】
0004395801.tif 000015
【図１４】
0004395801.tif 000016
【図１５】
0004395801.tif 000017
【図１６】
0004395801.tif 000018